(57)【特許請求の範囲】
【請求項１】
出隅キャンバスＧ１，Ｇ２と矩形キャンバスＰ１，Ｐ２を重ね合わせて巻き取ったり、巻き戻す巻取りローラＪ１，Ｊ２、Ｊ４〜Ｊ７を軸受支持し、
当該巻取りローラＪ１，Ｊ２、Ｊ４〜Ｊ７に、前記矩形キャンバスＰ１，Ｐ２を取り付けると共に、前記出隅キャンバスＧ１，Ｇ２を取り付けてスライド自在とするスライダー１２，１２ａを組み込み、
前記矩形キャンバスＰ１，Ｐ２のフロントバーＲ２を折畳みアームＶ１，Ｖ２、Ｙ１，Ｙ２、Ｚ１，Ｚ２、Ｚ３，Ｚ４により平行移動自在に支持すると共に、前記フロントバーＲ２に出隅キャンバスＧ１，Ｇ２のフロントバーＦ２をスライド自在に構成したことを特徴とする複合オーニング装置（ＳＱＩＩ１〜１０、ＳＱＬ１・２）。
【請求項２】
巻取りローラＪ１，Ｊ２、Ｊ４〜Ｊ７に巻き取った出隅キャンバスＧ１，Ｇ２と矩形キャンバスＰ１，Ｐ２を巻き戻して展開し、
その内、展開した出隅キャンバスＧ１，Ｇ２を前記巻取りローラＪ１，Ｊ２、Ｊ４〜Ｊ７と、矩形キャンバスＰ１，Ｐ２のフロントバーＲ２に沿って横行スライドすることにより、出隅部Ｎ１のコーナー空間部を含む建物外回りに張り出してなる請求項１に記載の複合オーニング装置。
【請求項３】
出隅部Ｎ１のコーナー空間部を含む建物外回りに張り出した出隅キャンバスＧ１，Ｇ２を、その展開状態を維持したまま巻取りローラＪ１，Ｊ２、Ｊ４〜Ｊ７と、矩形キャンバスＰ１，Ｐ２のフロントバーＲ２に沿って後方へ横行スライドした上で、
前記巻取りローラＪ１，Ｊ２、Ｊ４〜Ｊ７に、出隅キャンバスＧ１，Ｇ２と矩形キャンバスＰ１，Ｐ２を重ね合わせて巻き取るように構成してなる請求項１に記載の複合オーニング装置。
【請求項４】
請求項１に記載の矩形キャンバスＰ１，Ｐ２を、入隅キャンバスＰ３，Ｐ４に置換してなる複合オーニング装置（ＳＵＩＩ１・２）。
【請求項５】
巻取りローラＪ１，Ｊ２、Ｊ４〜Ｊ７に巻き取った出隅キャンバスＧ１，Ｇ２と入隅キャンバスＰ３，Ｐ４を巻き戻して展開し、
その内、展開した出隅キャンバスＧ１，Ｇ２を前記巻取りローラＪ１，Ｊ２、Ｊ４〜Ｊ７と、入隅キャンバスＰ３，Ｐ４のフロントバーＲ２に沿って横行スライドすることにより、出隅部Ｎ１のコーナー空間部を含む建物外回りへ張り出してなる請求項４に記載の複合オーニング装置。
【請求項６】
出隅部Ｎ１のコーナー空間部を含む建物外回りに張り出した出隅キャンバスＧ１，Ｇ２を、その展開状態を維持したまま巻取りローラＪ１，Ｊ２、Ｊ４〜Ｊ７と、入隅キャンバスＰ３，Ｐ４のフロントバーＲ２に沿って後方へ横行スライドした上で、
前記巻取りローラＪ１，Ｊ２、Ｊ４〜Ｊ７に、出隅キャンバスＧ１，Ｇ２と入隅キャンバスＰ３，Ｐ４を重ね合わせて巻き取るように構成してなる請求項４に記載の複合オーニング装置。
【請求項７】
先後２体の出隅キャンバスＧ１，Ｇ２、Ｇ１１と矩形キャンバスＰ１，Ｐ２を重ね合わせて巻き取ったり、巻き戻す巻取りローラＪ１，Ｊ２、Ｊ４〜Ｊ７を軸受支持し、
当該巻取りローラＪ１，Ｊ２、Ｊ４〜Ｊ７に、前記矩形キャンバスＰ１，Ｐ２を取り付けると共に、前記出隅キャンバスＧ１，Ｇ２、Ｇ１１を取り付けてスライド自在とするスライダー１２，１２ａを組み込み、
前記矩形キャンバスＰ１，Ｐ２のフロントバーＲ２を折畳みアームＶ１〜Ｖ４、Ｙ１，Ｖ２，Ｖ３，Ｙ４により平行移動自在に支持すると共に、前記フロントバーＲ２に出隅キャンバスＧ１，Ｇ２、Ｇ１１のフロントバーＦ２をスライド自在に構成したことを特徴とする複合オーニング装置（ＳＱＳＩＶ）。
【請求項８】
巻取りローラＪ１，Ｊ２、Ｊ４〜Ｊ７に巻き取った先後２体の出隅キャンバスＧ１，Ｇ２と矩形キャンバスＰ１，Ｐ２を巻き戻して展開し、
その内、展開した出隅キャンバスＧ１，Ｇ２、Ｇ１１を前記巻取りローラＪ１，Ｊ２、Ｊ４〜Ｊ７と、矩形キャンバスＰ１，Ｐ２のフロントバーＲ２に沿って先後両方向へ横行スライドすることにより、一方と他方の出隅部Ｎ１，Ｎ２のコーナー空間部を含む建物外回りへ張り出してなる請求項７に記載の複合オーニング装置。
【請求項９】
一方と他方の出隅部Ｎ１，Ｎ２のコーナー空間部を含む建物外回りに張り出した出隅キャンバスＧ１，Ｇ２、Ｇ１１を、その展開状態を維持したまま巻取りローラＪ１，Ｊ２、Ｊ４〜Ｊ７と、矩形キャンバスＰ１，Ｐ２のフロントバーＲ２に沿って装置中央部へ横行スライドした上で、
前記巻取りローラＪ１，Ｊ２、Ｊ４〜Ｊ７に、出隅キャンバスＧ１，Ｇ２の２体と矩形キャンバスＰ１，Ｐ２を重ね合わせて巻き取るように構成してなる請求項７に記載の複合オーニング装置。
【請求項１０】
先後２体の出隅キャンバスＧ１，Ｇ１１を重ね合わせて巻き取ったり、巻き戻す巻取りローラＪ３を軸受支持し、
当該巻取りローラＪ３に、前記出隅キャンバスＧ１，Ｇ１１をそれぞれ取り付けてスライド自在とするスライダー１２，１２ｗを組み込み、
前記出隅キャンバスＧ１，Ｇ１１のそれぞれのフロントバーＦ２，Ｆ３を支持する横行案内レールＲ４を、折畳みアームＶ１，Ｖ２、Ｙ１，Ｙ２により平行移動自在に支持すると共に、
前記横行案内レールＲ４に出隅キャンバスＧ１，Ｇ１１のフロントバーＦ２，Ｆ３の２体を相対的にスライド自在に構成したことを特徴とする複合オーニング装置（ＳＳＩＩ）。
【請求項１１】
巻取りローラＪ３に巻き取った２体の出隅キャンバスＧ１，Ｇ１１を巻き戻して展開し、
展開した出隅キャンバスＧ１，Ｇ１１の２体を、前記巻取りローラＪ３と横行案内レールＲ４に沿って先後両方向へ相対的に横行スライドすることにより、一方と他方の出隅部Ｎ１，Ｎ２のコーナー空間部を含む建物外回りに張り出してなる請求項１０に記載の複合オーニング装置。
【請求項１２】
一方と他方の出隅部Ｎ１，Ｎ２のコーナー空間部を含む建物外回りに張り出した出隅キャンバスＧ１，Ｇ１１を、その展開状態を維持したまま巻取りローラＪ３と、横行案内レールＲ４やフロントバーＦ２，Ｆ３に沿って先後両方向へ相対的に横行スライドした上で、
前記巻取りローラＪ３に出隅キャンバスＧ１，Ｇ２の２体を重ね合わせて巻き取るように構成してなる請求項１０に記載の複合オーニング装置。
【請求項１３】
請求項１又は７に記載の巻取りローラＪ１，Ｊ２、Ｊ４〜Ｊ７の軸線方向に、矩形キャンバスＰ１，Ｐ２又は入隅キャンバスＰ３，Ｐ４のキャンバス嵌合溝１１０と、スリット１１１を備えたスライド案内通路１１２を平行に形成し、
その内、スライド案内通路１１２に出隅キャンバスＧ１，Ｇ２、Ｇ１１のスライダー１２，１２ａを組み込んでなる複合オーニング装置。
【請求項１４】
請求項１０に記載の巻取りローラＪ３の軸線方向に、２列のスライド案内通路１１２を平行に形成し、
それぞれのスライド案内通路１１２に出隅キャンバスＧ１，Ｇ１１のスライダー１２、１２ｗを組み込んでなる複合オーニング装置。
【請求項１５】
スライダー１２，１２ａ、１２ｗの中央突条部に、出隅キャンバスＧ１，Ｇ２、Ｇ１１の頂部１を取り付けるキャンバス嵌合溝１２１を形成し、
スライダー１２，１２ａ、１２ｗの両側位置に張り出した翼板部１２３を、スライド案内通路１１２の側壁部に嵌挿してなる請求項１３又は１４に記載の複合オーニング装置。
【請求項１６】
スライダー１２，１２ａ、１２ｗの両側位置に、スリット溝１２２を備えた翼板部１２３を張り出し、
当該スリット溝１２２に適宜の間隔を隔てて小車輪１２４を自由転自在に組み付け、当該小車輪１２４を、スライド案内通路１１２の側壁部に形成したレール溝１１３に嵌め込んでなる請求項１５に記載の複合オーニング装置。
【請求項１７】
請求項１、７又は１０に記載の出隅キャンバスＧ１，Ｇ１１を、矩形状のキャンバス本体部Ｘ１と、その一方に張り出したキャンバス張出部Ｘ２とからなるほぼ直角台形状の展開形態に形成し、
当該出隅キャンバスＧ１，Ｇ１１の頂部１をスライダー１２，１２ｗに取り付け、
そのキャンバス裾部２をフロントバーＦ２，Ｆ３に取り付けてなる複合オーニング装置。
【請求項１８】
スライダー１２，１２ｗとフロントバーＦ２，Ｆ３との間に、ワイヤ１９３，１９４やベルト等の連結部材を張り渡してなる請求項１７に記載の複合オーニング装置。
【請求項１９】
請求項１又は７に記載の出隅キャンバスＧ２を、ほぼ三角形状の展開形態に形成し、当該三角キャンバスＧ２の斜部３ａ，３ｂに連結ワイヤ５４１，５４２を挿通し、
そのワイヤ基端部を比較的長さの短いスライダー１２ａの先後両端部に取り付け、
ワイヤ前端部をキャンバス裾部２ａの先後両端付近のフロントバーＦ２に取り付けてなる複合オーニング装置。
【請求項２０】
請求項１、７又は１０に記載のスライダー１２，１２ａ、１２ｗを、出隅キャンバスＧ１，Ｇ２、Ｇ１１の頂部１に嵌め込んだスライドキャップ１２ｘに置換してなる複合オーニング装置。
【請求項２１】
スライドキャップ１２ｘを組み込む巻取りローラＪ８に、矩形キャンバスＰ１，Ｐ２又は入隅キャンバスＰ３，Ｐ４のキャンバス嵌合溝１１０と、スライド案内通路１１４を形成し、
その内、スライド案内通路１１４には、出隅キャンバスＧ１，Ｇ２，Ｇ１１の頂部１に嵌め込んだスライドキャップ１２ｘを組み込んでなる請求項２０に記載の複合オーニング装置。
【請求項２２】
出隅キャンバスＧ１，Ｇ１１を、矩形状のキャンバス本体部Ｘ１と、その一方に張り出したキャンバス張出部Ｘ２とからなるほぼ直角台形状の展開形態に形成し、
当該出隅キャンバスＧ１，Ｇ１１の頂部１に嵌め込んだスライドキャップ１２ｘと、出隅キャンバスＧ１、Ｇ１１の裾部２を取り付けたフロントバーＦ２との間に、
ワイヤ１９３，１９４やベルト等の連結部材を張り渡してなる請求項２０に記載の複合オーニング装置。
【請求項２３】
出隅キャンバスＧ２を、ほぼ三角形状の展開形態に形成し、
当該三角キャンバスＧ２の斜部３ａ，３ｂに連結ワイヤ５４１，５４２を挿通し、
そのワイヤ基端部をスライドキャップ１２ｘの先後両端部に取り付け、
ワイヤ前端部をキャンバス裾部２ａの先後両端付近のフロントバーＦ２に取り付けてなる請求項２０に記載の複合オーニング装置。
【請求項２４】
巻取りローラＪ１，Ｊ２、Ｊ４〜Ｊ８に、ローラ本体１１の嵩上げ部材を取り付けてなる請求項１、７、１０、１３又は２１に記載の複合オーニング装置。
【請求項２５】
嵩上げ部材が、螺旋状の嵩上げリング３３１であって、巻取りローラＪ１，Ｊ２、Ｊ４〜Ｊ８の中間付近からローラ先端部又は先後両端部へ向かうに連れて、そのリング外径を段階的に大きくしてなる請求項２４に記載の複合オーニング装置。
【請求項２６】
出隅キャンバスＧ１、Ｇ１１の斜部３に、嵩上げ生地３２を取り付けてなる請求項１７又は２２に記載の複合オーニング装置。
【請求項２７】
スライダー１２，１２ａ、１２ｗを組み込んだ巻取りローラＪ１の軸端部に、複数のキャンバスＧ１，Ｇ２、Ｇ１１、Ｐ１〜Ｐ４を巻き取ったり、巻き戻す手動装置又は電動装置を組み込んでなる請求項１３又は１４に記載の複合オーニング装置。
【請求項２８】
スライダー１２，１２ａ，１２ｗを組み込んだ巻取りローラＪ２，Ｊ３の内部に、複数のキャンバスＧ１，Ｇ２，Ｇ１１、Ｐ１〜Ｐ４を巻き取ったり、巻き戻す電動モータＭ１を組み込んでなる請求項１３又は１４に記載の複合オーニング装置。
【請求項２９】
電動モータＭ１の先後両端部に、モータ出力軸２７１と固定用軸部２７２を設け、一方のモータ出力軸２７１に嵌め込んだ伝動ソケット２８１を、ローラ本体１１，１１ｂの内部に嵌め込み、
前記電動モータＭ１の後方部を、ローラ本体１１，１１ｂのエンドキャップ１５２に嵌挿し、
他方の固定用軸部２７２を、巻取りローラＪ２，Ｊ３を収納するケーシングＫ１のエンドキャップ１４２に嵌め込んでなる請求項２８に記載の複合オーニング装置。
【請求項３０】
フロントバーＦ２，Ｆ３に、出隅キャンバスＧ１，Ｇ２，Ｇ１１の横行操作用掛止部２４１を設けてなる請求項１、７又は１０に記載の複合オーニング装置。
【請求項３１】
出隅キャンバスＧ１，Ｇ１１の頂部１付近に、当該キャンバスＧ１，Ｇ１１の横行操作用掛止フラップ２４２を設けてなる請求項１、７又は１０に記載の複合オーニング装置。
【請求項３２】
一方の折畳みアームＶ１、Ｙ１、Ｚ１と、出隅キャンバスＧ１，Ｇ２、Ｇ１１のフロントバーＦ２，Ｆ３に、当該フロントバーＦ２，Ｆ３を横行スライドするロープやワイヤ等の伝動部材５６１，５６２、６６を掛け渡してなる請求項１、７又は１０に記載の複合オーニング装置。
【請求項３３】
伝動部材５６１，５６２の一方を後退用とし、他方を前進用とし、折畳みアームＶ１，Ｙ１の基端部付近から垂れ下げてなる請求項３２に記載の複合オーニング装置。
【請求項３４】
巻取りローラＪ４〜Ｊ７の先端部に、伝動ワイヤ５６１，５６２の巻取りリール６０，６０ａ，６０ｂを組み付け、
当該巻取りリール６０，６０ａ，６０ｂを正逆回転することにより、展開した出隅キャンバスＧ１，Ｇ２を横行スライドしてなる請求項１、７又は１０に記載の複合オーニング装置。
【請求項３５】
一方の折畳みアームＶ１、Ｙ１と、出隅キャンバスＧ１，Ｇ２、Ｇ１１のフロントバーＦ２，Ｆ３に、当該フロントバーＦ２，Ｆ３を横行スライドする後退用と前進用の伝動ワイヤ５６１，５６２を掛け渡し、
当該伝動ワイヤ５６１，５６２の一方を巻き取り、その他方を巻き戻す巻取りリール６０，６０ａ，６０ｂを、巻取りローラＪ４〜Ｊ７の先端部に組み付けてなる請求項３４に記載の複合オーニング装置。
【請求項３６】
伝動ワイヤ５６１，５６２の一方を巻き取り、その他方を巻き戻す巻取りリール６０を正逆回転する電動モータＭ４と、出隅キャンバスＧ１，Ｇ２を巻き取ったり、巻き戻す巻取りローラＪ４を正逆回転する電動モータＭ１を、巻取りローラＪ４の内部に組み込んでなる請求項２８、３４又は３５に記載の複合オーニング装置。
【請求項３７】
巻取りローラＪ４の先端部に電動モータＭ４の本体後半部を挿通し、
当該電動モータＭ４の本体前半部に巻取りリール６０を嵌め込んで固定し、
当該電動モータＭ４の先端軸部５９１をケーシングＫ１のエンドキャップ１４６に固定してなる請求項３６に記載の複合オーニング装置。
【請求項３８】
巻取りローラＪ５〜Ｊ７に、当該巻取りローラＪ５〜Ｊ７と巻取りリール６０，６０ａ，６０ｂを正逆回転する１体の電動モータＭ５、Ｍ６又は駆動軸７３を組み込み、
前記巻取りローラＪ５〜Ｊ７と巻取りリール６０，６０ａ，６０ｂのいずれか一方の動作を外部から拘束することで、その回転を制止すると、他方の巻取りローラＪ５〜Ｊ７と巻取りリール６０，６０ａ，６０ｂのいずれかが反動回転するか、或いは、逆回転するようにしてなる請求項３４又は３５に記載の複合オーニング装置。
【請求項３９】
巻取りローラＪ５〜Ｊ７の回転を外部から制止する手段が、
当該巻取りローラＪ５〜Ｊ７の後端部に取り付けた回転ストッパー６１１と、
当該回転ストッパー６１１が係止する案内突起１３５とからなり、
当該案内突起１３５を、出隅キャンバスＧ１，Ｇ２を巻き取り収納するケーシングＫ１の背面内壁部に設けてなる請求項３８に記載の複合オーニング装置。
【請求項４０】
巻取りローラＪ５の先端部に、電動モータＭ５の本体後半部を挿通し、
当該電動モータＭ５の後端出力軸５９４を、巻取りローラＪ５の内部に嵌挿した伝動ソケット２８１に嵌め込んで固定し、
当該電動モータＭ５の本体前半部に巻取りリール６０を嵌め込んで固定し、
当該電動モータＭ５の先端支軸５９３を、巻取りローラＪ５を収納するケーシングＫ１のエンドキャップ１４６に軸受支持してなる請求項３８又は３９に記載の複合オーニング装置。
【請求項４１】
電動モータＭ６の本体部又は手動回転する駆動軸７３に太陽歯車７０を嵌め込み、巻取りリール６０ａ，６０ｂに内歯歯車７１を形成し、
前記太陽歯車７０と内歯歯車７１に噛み合う遊星歯車７２を、巻取りローラＪ６，Ｊ７の先端部に取り付けてなる請求項３８又は４０に記載の複合オーニング装置。
【請求項４２】
巻取りローラＪ６の先端部に電動モータＭ６の本体後半部を挿通し、
当該電動モータＭ６の本体後方部を、前記巻取りローラＪ６の内部に嵌挿した伝動ソケット２８３に嵌挿し、
当該電動モータＭ６の先端部に巻取りリール６０ａを嵌挿し、
当該電動モータＭ６の先端軸部５９１を、巻取りローラＪ６を収納するケーシングＫ１のエンドキャップ１４６に固定してなる請求項３８、３９又は４１に記載の複合オーニング装置。
【請求項４３】
巻取りローラＪ７の先端部に駆動軸７３の後半部を挿通し、
当該駆動軸７３の後端付近を、巻取りローラＪ７の内部に嵌挿した伝動ソケット２８３に嵌挿し、
当該駆動軸７３の先端寄りの位置に巻取りリール６０ｂを嵌挿すると共に、手動の歯車装置１６１，１６２を形成し、
前記駆動軸７３の先端部を、巻取りローラＪ７を収納するケーシングＫ１のエンドキャップ１４６に軸受支持してなる請求項３８、３９又は４１に記載の複合オーニング装置。
【請求項４４】
巻取りリール６０，６０ａ，６０ｂを組み込んだ巻取りローラＪ４〜Ｊ７のケーシングＫ１の先端位置に、前記巻取りリール６０，６０ａ，６０ｂのケーシングを兼ねたエンドキャップ１４６を取り付け、
その底部には、前記巻取りリール６０，６０ａ，６０ｂの伝動ワイヤ５６１，５６２を挿通する案内長孔１４８，１４９を開口形成してなる請求項３７、４０、４２又は４３に記載の複合オーニング装置。
【請求項４５】
出隅キャンバスＧ１，Ｇ２、Ｇ１１のフロントバーＦ２，Ｆ３の上部後端縁に、当該キャンバスＧ１，Ｇ２、Ｇ１１の裾部２，２ａを押し上げ付勢する揺動フラップ６２を取り付けてなる請求項１、７又は１０に記載の複合オーニング装置。
【請求項４６】
出隅キャンバスＧ１，Ｇ２、Ｇ１１のフロントバーＦ２，Ｆ３の上部後端縁と、出隅キャンバスＧ１，Ｇ２、Ｇ１１の裾部２，２ａ寄りの裏面に伸縮ネット６３を編成してなる請求項１、７又は１０に記載の複合オーニング装置。
【請求項４７】
出隅キャンバスＧ１，Ｇ２のフロントバーＦ２をアウターとし、
矩形キャンバスＰ１，Ｐ２又は入隅キャンバスＰ３，Ｐ４のフロントバーＲ２をインナーとしてなる請求項１又は７に記載の複合オーニング装置。
【請求項４８】
アウター側のフロントバーＦ２には、出隅キャンバスＧ１，Ｇ２、Ｇ１１の裾部２を嵌め込む嵌合溝３５１と、フロントスカート２２１の嵌合溝３５２をそれぞれ長手方向へ形成し、
インナー側のフロントバーＲ２には、矩形キャンバスＰ１，Ｐ２又は入隅キャンバスＰ３，Ｐ４の裾部６を嵌め込む嵌合溝３８１と、フロントスカート３９１の嵌合溝３８２をそれぞれ長手方向へ形成してなる請求項４７に記載の複合オーニング装置。
【請求項４９】
インナー側のフロントバーＲ２に、アウター側のフロントバーＦ２のスライド案内溝３７１，３７２を長手方向へ形成してなる請求項４８に記載の複合オーニング装置。
【請求項５０】
横行案内レールＲ４に出隅キャンバスＧ１１のフロントバーＦ３をスライド自在に嵌挿し、当該フロントバーＦ３に出隅キャンバスＧ１のフロントバーＦ２をスライド自在に嵌挿してなる請求項１０に記載の複合オーニング装置。
【請求項５１】
フロントバーＦ２には、出隅キャンバスＧ１の裾部２を嵌め込む嵌合溝３５１と、フロントスカート２２１の嵌合溝３５２をそれぞれ長手方向へ形成し、
フロントバーＦ３には、出隅キャンバスＧ１１の裾部６を嵌め込む嵌合溝３８１と、フロントスカート３９１の嵌合溝３８２と、前記フロントバーＦ２のスライド案内溝３７１，３７２をそれぞれ長手方向へ形成し、
横行案内レールＲ４には、前記フロントバーＦ３のスライド案内溝４４１，４４２を長手方向へ形成してなる請求項５０に記載の複合オーニング装置。
【請求項５２】
インナー側のフロントバーＲ５にアウター側のフロントバーＦ５を転動案内自在に嵌挿するに、
前記フロントバーＦ５の後端部に水平回転する案内車輪８６１，８６２を内蔵し、
前記フロントバーＲ５の先端部に水平回転する案内車輪９３１，９３２を設け、
当該案内車輪９３１，９３２が、前記フロントバーＦ５の内側面を転動し、
前記案内車輪８６１，８６２が、前記フロントバーＲ５の上下位置に形成した車輪室８８１，８８２を転動するように構成してなる請求項１又は７に記載の複合オーニング装置。
【請求項５３】
インナー側のフロントバーＲ５の先端部に車輪ホルダー９２を嵌挿固定し、
当該車輪ホルダー９２の先端上下位置に、水平回転する案内車輪９３１，９３２を軸受支持してなる請求項５２に記載の複合オーニング装置。
【請求項５４】
出隅キャンバスＧ１，Ｇ２と矩形キャンバスＰ１，Ｐ２又は入隅キャンバスＰ３，Ｐ４を重ね合わせて巻き取ったり、巻き戻すローラ本体１１に、
当該矩形キャンバスＰ１，Ｐ２又は入隅キャンバスＰ３，Ｐ４を取り付けるキャンバス嵌合溝１１０と、スライド案内通路１１２を軸線方向へ平行に形成し、
その内、スライド案内通路１１２には、展開した出隅キャンバスＧ１，Ｇ２を横行スライド自在とするスライダー１２，１２ａを組み込んだことを特徴とする複数キャンバスの巻取りローラ（Ｊ１〜Ｊ７）。
【請求項５５】
スライダー１２，１２ａを組み込んだローラ本体１１の軸端部に、
出隅キャンバスＧ１，Ｇ２と矩形キャンバスＰ１，Ｐ２又は入隅キャンバスＰ３，Ｐ４を重ね合わせて巻き取ったり、巻き戻す手動装置又は電動装置を組み込んでなる請求項５４に記載の複数キャンバスの巻取りローラ（Ｊ１）。
【請求項５６】
スライダー１２，１２ａを組み込んだローラ本体１１の内部に、出隅キャンバスＧ１，Ｇ２と矩形キャンバスＰ１，Ｐ２又は入隅キャンバスＰ３，Ｐ４を重ね合わせて巻き取ったり、巻き戻す電動モータＭ１を組み込んでなる請求項５４に記載の複数キャンバスの巻取りローラ（Ｊ２）。
【請求項５７】
電動モータＭ１の先後両端部に、モータ出力軸２７１と固定用軸部２７２を設け、一方のモータ出力軸２７１に嵌め込んだ伝動ソケット２８１を、ローラ本体１１の内部に嵌め込み、
前記電動モータＭ１の後方部を、ローラ本体１１のエンドキャップ１５２に嵌挿し、
他方の固定用軸部２７２を、出隅キャンバスＧ１，Ｇ２と矩形キャンバスＰ１，Ｐ２又は入隅キャンバスＰ３，Ｐ４を巻き取り収納するケーシングＫ１のエンドキャップ１４２に嵌め込むようにしてなる請求項５６に記載の複数キャンバスの巻取りローラ（Ｊ２）。
【請求項５８】
スライダー１２，１２ａを組み込んだローラ本体１１の先端部に、伝動ワイヤ５６１，５６２の巻取りリール６０，６０ａ，６０ｂを組み付け、
当該巻取りリール６０，６０ａ，６０ｂを正逆回転することにより、展開した出隅キャンバスＧ１，Ｇ２を横行スライドしてなる請求項５４に記載の複数キャンバスの巻取りローラ（Ｊ４〜Ｊ７）。
【請求項５９】
スライダー１２，１２ａを組み込んだローラ本体１１の内部に、出隅キャンバスＧ１，Ｇ２と矩形キャンバスＰ１，Ｐ２又は入隅キャンバスＰ３，Ｐ４を巻き取ったり、巻き戻す電動モータＭ１と、伝動ワイヤ５６１，５６２の一方を巻き取り、その他方を巻き戻す巻取りリール６０を正逆回転する電動モータＭ４を組み込んでなる請求項５８に記載の複数キャンバスの巻取りローラ（Ｊ４）。
【請求項６０】
ローラ本体１１の先端部に電動モータＭ４の本体後半部を挿通し、
当該電動モータＭ４の本体前半部に巻取りリール６０を嵌め込んで固定し、
当該電動モータＭ４の先端軸部５９１を、ケーシングＫ１のエンドキャップ１４６に固定するようにしてなる請求項５９に記載の複数キャンバスの巻取りローラ（Ｊ４）。
【請求項６１】
スライダー１２，１２ａを組み込んだローラ本体１１と、伝動ワイヤ５６１，５６２の巻取りリール６０，６０ａ，６０ｂを正逆回転する１体の電動モータＭ５，Ｍ６又は駆動軸７３を備えた巻取りローラＪ５〜Ｊ７であって、
前記ローラ本体１１と巻取りリール６０，６０ａ，６０ｂのいずれか一方の動作を外部から拘束することで、その回転を制止すると、他方のローラ本体１１と巻取りリール６０，６０ａ，６０ｂのいずれかが反動回転するか、或いは、逆回転するようにしてなる請求項５８に記載の複数キャンバスの巻取りローラ（Ｊ５）。
【請求項６２】
ローラ本体１１の先端部に、電動モータＭ５の本体後半部を挿通し、
当該電動モータＭ５の後端出力軸５９４を、ローラ本体１１の内部に嵌挿した伝動ソケット２８１に嵌め込んで固定し、
当該電動モータＭ５の本体前半部に巻取りリール６０を嵌め込んで固定し、
当該電動モータＭ５の先端支軸５９３を、ケーシングＫ１のエンドキャップ１４６に軸受支持するようにしてなる請求項６１に記載の複数キャンバスの巻取りローラ（Ｊ５）。
【請求項６３】
電動モータＭ６の本体部又は手動回転する駆動軸７３に太陽歯車７０を嵌め込み、巻取りリール６０ａ，６０ｂに内歯歯車７１を形成し、
前記太陽歯車７０と内歯歯車７１に噛み合う遊星歯車７２を、ローラ本体１１の先端部に取り付けてなる請求項６１に記載の出隅キャンバスの巻取りローラ（Ｊ６，Ｊ７）。
【請求項６４】
ローラ本体１１の先端部に電動モータＭ６の本体後半部を挿通し、
当該電動モータＭ６の本体後方部を、前記ローラ本体１１の内部に嵌挿した伝動ソケット２８３に嵌挿し、
当該電動モータＭ６の先端部に巻取りリール６０ａを嵌挿し、
当該電動モータＭ６の先端軸部５９１を、ケーシングＫ１のエンドキャップ１４６に固定するようにしてなる請求項６３に記載の複数キャンバスの巻取りローラ（Ｊ６）。
【請求項６５】
ローラ本体１１の先端部に駆動軸７３の後半部を挿通し、
当該駆動軸７３の後端付近を、前記ローラ本体１１の内部に嵌挿した伝動ソケット２８３に嵌挿し、
当該駆動軸７３の先端寄りの位置に巻取りリール６０ｂを嵌挿すると共に、手動の歯車装置１６１，１６２を形成し、
前記駆動軸７３の先端部を、ケーシングＫ１のエンドキャップ１４６に軸受支持するようにしてなる請求項６３に記載の複数キャンバスの巻取りローラ（Ｊ７）。
【発明の詳細な説明】
【技術分野】  本発明は、出隅キャンバスの横行スライド構造を備えた複合タイプの可動オーニング装置、即ち、複合オーニング装置と、その主要部を構成する複数キャンバスの巻取りローラに関し、各種建築物の出隅部のコーナー空間部を、また、同コーナー空間部を含む出隅部や入隅部等の建物外回りを体裁良く覆うために使用される。
【背景技術】  従来、可動オーニング装置は、建物の壁際部分に軸受支持した巻取りローラに、通常、前方へ向かって前傾状態に展開する矩形状のキャンバスを、手動ハンドルや電動モータ等により巻き取ったり、巻き戻し、前記キャンバスの裾部を取り付けたフロントバーを、ほぼ水平方向へ折り畳み自在とする二つ折れアームやｙ字アーム等により緊張状態に展開支持したり（折り畳みアーム方式；Ｆｏｌｄｉｎｇ  ａｒｍ）、或いは、展開した矩形キャンバスのフロントバーの両端部を、ほぼ垂直方向に起倒動操作する折畳みアームやパンタグラフ構造の伸縮リンク等により支持し（ラテラルアーム方式；Ｌａｔｅｒａｌ  ａｒｍ）、その多くは、テラスや店舗外廻りの日除けや雨除けとして、或いは、建築物や店舗装飾の一環として施設している（例えば、下記の非特許文献１〜２参照。以下、前者という）。
他方、建築物の出隅部のコーナー空間部を覆うため、従来、次の（ａ）〜（ｄ）に示す構成を備えた可動オーニング装置が提案されている（例えば、下記の特許文献１参照。以下、後者という）。
（ａ）、コーナー端部の固定ブラケットに、装置全体を組み込むオーニング支持枠を斜め前方へ張り出して支持し、ほぼ直角三角形状キャンバスの長辺を電動モータにより巻き取ったり、巻き戻す巻取りローラの２体を、オーニング支持枠の先後両端部に軸受支持する。
（ｂ）、そして、拡開方向へ付勢した折畳みアームの基端部をベースパイプの中間付近に取り付け、その先端部のアームホルダーに三角形キャンバスの頂部を取り付ける。
（ｃ）、また、オーニング支持枠の先端部に化粧パネルを拡開自在に枢設し、当該化粧パネルの後方部の溝部に沿って、アームホルダーを摺動自在に支持する。
（ｄ）、更には、オーニング支持枠の先端寄りをワイヤロープで吊り上げて支持し、また、巻上げ機によりコーナー端部の後部上方へ引き上げて、装置全体を倒立状態に格納する。
先行技術の文献情報リスト
【特許文献１】実公平４−４０３３６号公報
【非特許文献１】「オーニング販売マニュアル」、日本オーニング協会、平成１６年（２００４）１月、ｐ．９−１５
【非特許文献２】「オーニング−日除け−日本オーニング協会−ＪＡＡ」［ｏｎｌｉｎｅ］、日本オーニング協会、「２００４年８月１７日検索」、インターネット＜ＵＲＬ：ｈｔｔｐ：／／ｗｗｗ．ａｗｎｉｎｇ．ｏｒｇ／ｉｎｄｅｘ．ｈｔｍｌ＞
【発明の開示】
【発明が解決しようとする課題】  前者のオーニング装置は、主に、建物外回りの直線区間を対象としており、出隅部のコーナー空間部を覆うことができない。そこを敢えて覆うとすれば、巻取りローラを出隅部からコーナー空間部へ食み出して取り付けることになる。
多くの場合、建築物における出隅部は、２方向の歩車道に面していたり、交差点に面しており、不特定多数人の目に触れる位置にあり、店舗として、また、広告宣伝効果に優れる等、営業上の好条件を兼ね備えている場所にある。
そのような目立つ場所に組み込まれるオーニング装置が、出隅部から食み出した状態のまま矩形キャンバスを巻取り収納せざるを得ないことでは、オーニング装置としての技術的な興趣や体裁性に欠ける。
他方、後者のオーニング装置は、コーナー空間部に展開した三角キャンバスを、出隅部のコーナー端部で片持ち支持している為、コーナー端部に張り出した固定ブラケットに装置全体の負荷が集中する。また、オーニング支持枠をワイヤロープで吊り上げている為、キャンバス展開時における装置全体の左右揺動を惹き起こし易く、特に、風による影響を受け易い不安定なものである。その上、装置全体をワイヤロープで吊り上げ、コーナー端部に引き上げて鉛直に倒立格納する為、ワイヤロープの劣化切断の事態を考慮したとき頭上落下が懸念される。また、倒立格納により、装置全体の裏側がコーナー端部の表面に露呈することになり、格納時の体裁性を損なう。
そこで、本発明者は、出隅部のコーナーキャンバス（以下、出隅キャンバスという）を巻き戻しながら斜め前方のコーナー空間部へ平行に押し出して展開したり、それとは逆に、展開した出隅キャンバスを巻き取りながら斜め後方へ平行に引き込んで巻き上げ収納することで、前記の技術課題に対処することのできる折畳みアーム方式で、シングルタイプの可動オーニング装置を提供した（下記の国際特許出願１参照）。
また、前記の先願発明を一段と技術的に進歩発展させ、更には、建築物の出隅部とその隣接する直線区間や、出隅部と入隅部や、一方の出隅部と他方の出隅部等を含む建物外回りを、出隅キャンバスと矩形キャンバス、入隅キャンバス等により一段と体裁良く効率的に覆うことを可能とする折畳みアーム方式で、複合タイプの可動オーニング装置を提供した（下記の国際特許出願２参照）。
近時には、前記したシングルタイプと複合タイプの可動オーニング装置とは発想を転換し、壁際部分から手前側へ展開した出隅キャンバスを、前進移動させることでコーナー空間部へ張り出したり、当該キャンバス収納時には後退移動した上で巻き上げ収納する、横行スライド構造を備えたシングルタイプと複合タイプの可動オーニング装置を提供した（下記の国際特許出願３・４参照）。
この国際特許出願３・４に記載した複合オーニング装置の場合には、出隅キャンバスと矩形キャンバス又は入隅キャンバス、先後両側位置の出隅キャンバスの２体と中間部の矩形キャンバス、更には、先後位置に背中合わせ組み合わせた２体の出隅キャンバス等の組み合わせに係る複数キャンバスのフロントバーを、相対的にスライド自在とすることで複合化に対処している。
しかしながら、それらを巻き取る巻取りローラは、上下に適宜間隔を隔てて軸受支持した複数の巻取りローラに、個々のキャンバスを独立別個に巻き取ったり、巻き戻すようにしている。
先行出願のリスト
国際特許出願１  ＰＣＴ／ＪＰ２００４／９７５１（０１．０７．２００４出願）
国際特許出願２  ＰＣＴ／ＪＰ２００５／４８４３（１０．０３．２００５出願）
国際特許出願３  ＰＣＴ／ＪＰ２００５／１８５９９（０３．１０．２００５出願）
国際特許出願４  ＰＣＴ／ＪＰ２００５／１８９９７（１１．１０．２００５出願）
そこで、本発明では、前記した組み合わせに係る複数キャンバスの内、出隅キャンバスを横行スライド自在としながら、当該出隅キャンバスを含む複数キャンバスを単体の巻取りローラに重ね合わせて巻き取ったり、巻き戻すことができるようにすることで、装置全体を複合一体化してなる複合オーニング装置（以下、単に複合装置ともいう）を提供したのである。
また、本発明の主要部を構成し、互換性のある単体製品としても有用な複数キャンバスの巻取りローラをも提供する。
そして、本発明の実施化を企図する上で想定される種々の関連する技術課題に対処する付帯装置をも提供する。
【課題を解決するための手段】  第１グループの複合装置ＳＱＩＩ１〜１０、ＳＱＬ１・２に関する発明（以下、第１発明という）と、その効果について
尚、各項末尾の括弧内に付記する符号は、開示した複合装置と巻取りローラの実施形態を示している。
第１発明は、（１）・・・出隅キャンバスＧ１，Ｇ２と矩形キャンバスＰ１，Ｐ２を重ね合わせて巻き取ったり、巻き戻す巻取りローラＪ１，Ｊ２、Ｊ４〜Ｊ７を軸受支持し、当該巻取りローラＪ１，Ｊ２、Ｊ４〜Ｊ７に、前記矩形キャンバスＰ１，Ｐ２を取り付けると共に、前記出隅キャンバスＧ１，Ｇ２を取り付けてスライド自在とするスライダー１２，１２ａを組み込み、前記矩形キャンバスＰ１，Ｐ２のフロントバーＲ２を折畳みアームＶ１，Ｖ２、Ｙ１，Ｙ２、Ｚ１，Ｚ２、Ｚ３，Ｚ４により平行移動自在に支持すると共に、前記フロントバーＲ２に出隅キャンバスＧ１，Ｇ２のフロントバーＦ２をスライド自在に構成したことを特徴とする（ＳＱＩＩ１〜１０、ＳＱＬ１・２）。
これにより、出隅部Ｎ１のコーナー空間部を含む建物外回りが一体的に体裁良く覆われ、収納時には、出隅部Ｎ１から食み出すことなく壁際部分へのコンパクトな収納がなされる。
第１発明の作動過程としては、（２）・・・巻取りローラＪ１，Ｊ２、Ｊ４〜Ｊ７に巻き取った出隅キャンバスＧ１，Ｇ２と矩形キャンバスＰ１，Ｐ２を巻き戻して展開し、その内、展開した出隅キャンバスＧ１，Ｇ２を前記巻取りローラＪ１，Ｊ２、Ｊ４〜Ｊ７と、矩形キャンバスＰ１，Ｐ２のフロントバーＲ２に沿って横行スライドすることにより、出隅部Ｎ１のコーナー空間部を含む建物外回りに張り出す。
それとは逆に、（３）・・・出隅部Ｎ１のコーナー空間部を含む建物外回りに張り出した出隅キャンバスＧ１，Ｇ２を、その展開状態を維持したまま巻取りローラＪ１，Ｊ２、Ｊ４〜Ｊ７と、矩形キャンバスＰ１，Ｐ２のフロントバーＲ２に沿って後方へ横行スライドした上で、前記巻取りローラＪ１，Ｊ２、Ｊ４〜Ｊ７に、出隅キャンバスＧ１，Ｇ２と矩形キャンバスＰ１，Ｐ２を重ね合わせて巻き取る。
前記（２）、（３）により、出隅キャンバスＧ１，Ｇ２と矩形キャンバスＰ１，Ｐ２の巻き戻し展開作動と、展開した出隅キャンバスＧ１，Ｇ２のコーナー空間部への前進移動が、逆に、コーナー空間部に張り出した出隅キャンバスＧ１，Ｇ２の後退移動と、両キャンバスＧ１，Ｇ２、Ｐ３，Ｐ４の巻き取り作動が円滑に行なわれる。
第２グループの複合装置ＳＵＩＩ１・２に関する発明（以下、第２発明という）と、その効果について
第２発明は、（４）・・・前記（１）に記載の矩形キャンバスＰ１，Ｐ２を、入隅キャンバスＰ３，Ｐ４に置換する（ＳＵＩＩ１・２）。
これにより、出隅部Ｎ１のコーナー空間部と入隅部Ｌのコーナー空間部との間の建物外回りが一体的に体裁良く覆われ、収納時には、出隅部Ｎ１から食み出すことなくコンパクトに壁面収納される。
第２発明の作動過程としては、（５）・・・巻取りローラＪ１，Ｊ２、Ｊ４〜Ｊ７に巻き取った出隅キャンバスＧ１，Ｇ２と入隅キャンバスＰ３，Ｐ４を巻き戻して展開し、その内、展開した出隅キャンバスＧ１，Ｇ２を前記巻取りローラＪ１，Ｊ２、Ｊ４〜Ｊ７と、入隅キャンバスＰ３，Ｐ４のフロントバーＲ２に沿って横行スライドすることにより、出隅部Ｎ１のコーナー空間部を含む建物外回りへ張り出す。
それとは逆に、（６）・・・出隅部Ｎ１のコーナー空間部を含む建物外回りに張り出した出隅キャンバスＧ１，Ｇ２を、その展開状態を維持したまま巻取りローラＪ１，Ｊ２、Ｊ４〜Ｊ７と、入隅キャンバスＰ３，Ｐ４のフロントバーＲ２に沿って後方へ横行スライドした上で、前記巻取りローラＪ１，Ｊ２、Ｊ４〜Ｊ７に、出隅キャンバスＧ１，Ｇ２と入隅キャンバスＰ３，Ｐ４を重ね合わせて巻き取る。
前記（５）、（６）により、出隅キャンバスＧ１，Ｇ２と入隅キャンバスＰ３，Ｐ４の展開作動と、展開した出隅キャンバスＧ１，Ｇ２のコーナー空間部への前進移動が、逆に、コーナー空間部に張り出した出隅キャンバスＧ１，Ｇ２の後退移動と、両キャンバスＧ１，Ｇ２、Ｐ３，Ｐ４の巻き取り作動が円滑に行なわれる。
第３グループの複合装置ＳＱＳＩＶに関する発明（以下、第３発明という）と、その効果について
第３発明は、（７）・・・先後２体の出隅キャンバスＧ１，Ｇ２、Ｇ１１と矩形キャンバスＰ１，Ｐ２を重ね合わせて巻き取ったり、巻き戻す巻取りローラＪ１，Ｊ２、Ｊ４〜Ｊ７を軸受支持し、当該巻取りローラＪ１，Ｊ２、Ｊ４〜Ｊ７に、前記矩形キャンバスＰ１，Ｐ２を取り付けると共に、前記出隅キャンバスＧ１，Ｇ２、Ｇ１１を取り付けてスライド自在とするスライダー１２，１２ａを組み込み、前記矩形キャンバスＰ１，Ｐ２のフロントバーＲ２を折畳みアームＶ１〜Ｖ４、Ｙ１，Ｖ２，Ｖ３，Ｙ４により平行移動自在に支持すると共に、前記フロントバーＲ２に出隅キャンバスＧ１，Ｇ２、Ｇ１１のフロントバーＦ２をスライド自在に構成したことを特徴とする（ＳＱＳＩＶ）。
これにより、先後両端部が出隅部Ｎ１，Ｎ２で、その間が適宜長の直線区間となる建物外回りが一体的に体裁良く覆われる。
第３発明の作動過程としては、（８）・・・巻取りローラＪ１，Ｊ２、Ｊ４〜Ｊ７に巻き取った先後２体の出隅キャンバスＧ１，Ｇ２と矩形キャンバスＰ１，Ｐ２を巻き戻して展開し、その内、展開した出隅キャンバスＧ１，Ｇ２、Ｇ１１を前記巻取りローラＪ１，Ｊ２、Ｊ４〜Ｊ７と、矩形キャンバスＰ１，Ｐ２のフロントバーＲ２に沿って先後両方向へ横行スライドすることにより、一方と他方の出隅部Ｎ１，Ｎ２のコーナー空間部を含む建物外回りへ張り出す。
それとは逆に、（９）・・・一方と他方の出隅部Ｎ１，Ｎ２のコーナー空間部を含む建物外回りに張り出した出隅キャンバスＧ１，Ｇ２、Ｇ１１を、その展開状態を維持したまま巻取りローラＪ１，Ｊ２、Ｊ４〜Ｊ７と、矩形キャンバスＰ１，Ｐ２のフロントバーＲ２に沿って装置中央部へ横行スライドした上で、前記巻取りローラＪ１，Ｊ２、Ｊ４〜Ｊ７に、出隅キャンバスＧ１，Ｇ２の２体と矩形キャンバスＰ１，Ｐ２を重ね合わせて巻き取る。
前記（８）、（９）により、先後位置の出隅キャンバスＧ１，Ｇ２、Ｇ１１と矩形キャンバスＰ１，Ｐ２の合計３体の展開作動と、展開した出隅キャンバスＧ１，Ｇ２、Ｇ１１のコーナー空間部への移動が、逆に、コーナー空間部に張り出した２体の出隅キャンバスＧ１，Ｇ２の装置中央への移動と、合計３体のキャンバスＧ１，Ｇ２、Ｐ１，Ｐ２を重ね合わせての巻き取り作動が円滑に行なわれる。
第４グループの複合装置ＳＳＩＩに関する発明（以下、第４発明という）と、その効果について
第４発明は、（１０）・・・先後２体の出隅キャンバスＧ１，Ｇ１１を重ね合わせて巻き取ったり、巻き戻す巻取りローラＪ３を軸受支持し、当該巻取りローラＪ３に、前記出隅キャンバスＧ１，Ｇ１１をそれぞれ取り付けてスライド自在とするスライダー１２，１２ｗを組み込み、前記出隅キャンバスＧ１，Ｇ１１のそれぞれのフロントバーＦ２，Ｆ３を支持する横行案内レールＲ４を、折畳みアームＶ１，Ｖ２、Ｙ１，Ｙ２により平行移動自在に支持すると共に、前記横行案内レールＲ４に出隅キャンバスＧ１，Ｇ１１のフロントバーＦ２，Ｆ３の２体を相対的にスライド自在に構成したことを特徴とする（ＳＳＩＩ）。
これにより、先後両端部が出隅部Ｎ１，Ｎ２で、その間の距離が比較的短い直線区間となる建物外回りが一体的に体裁良く覆われる。
第４発明の作動過程としては、（１１）・・・巻取りローラＪ３に巻き取った２体の出隅キャンバスＧ１，Ｇ１１を巻き戻して展開し、展開した出隅キャンバスＧ１，Ｇ１１の２体を、前記巻取りローラＪ３と横行案内レールＲ４に沿って先後両方向へ相対的に横行スライドすることにより、一方と他方の出隅部Ｎ１，Ｎ２のコーナー空間部を含む建物外回りに張り出す。
それとは逆に、（１２）・・・一方と他方の出隅部Ｎ１，Ｎ２のコーナー空間部を含む建物外回りに張り出した出隅キャンバスＧ１，Ｇ１１を、その展開状態を維持したまま巻取りローラＪ３と、横行案内レールＲ４やフロントバーＦ２，Ｆ３に沿って先後両方向へ相対的に横行スライドした上で、前記巻取りローラＪ３に出隅キャンバスＧ１，Ｇ２の２体を重ね合わせて巻き取る。
前記（１１）、（１２）により、先後２体の出隅キャンバスＧ１，Ｇ１１の展開作動と、展開した出隅キャンバスＧ１，Ｇ１１のコーナー空間部への横行移動が、逆に、コーナー空間部に張り出した先後２体の出隅キャンバスＧ１，Ｇ１１の他方への相対的な横行移動と、重ね合わせた両キャンバスＧ１，Ｇ１１の巻き取り作動が円滑に行なわれる。
次に、複数キャンバスＧ１，Ｇ２、Ｇ１１、Ｐ１〜Ｐ４の巻取りローラＪ１〜Ｊ７と、当該ローラＪ１〜Ｊ７に組み込まれるスライダー１２，１２ａ、１２ｗに関する従属発明を列記する。
（１３）・・・巻取りローラＪ１，Ｊ２、Ｊ４〜Ｊ７の軸線方向に、矩形キャンバスＰ１，Ｐ２又は入隅キャンバスＰ３，Ｐ４のキャンバス嵌合溝１１０と、スリット１１１を備えたスライド案内通路１１２を平行に形成し、その内、スライド案内通路１１２に出隅キャンバスＧ１，Ｇ２、Ｇ１１のスライダー１２，１２ａを組み込む。
（１４）・・・巻取りローラＪ３の軸線方向に、２列のスライド案内通路１１２を平行に形成し、それぞれのスライド案内通路１１２に出隅キャンバスＧ１，Ｇ１１のスライダー１２、１２ｗを組み込む。
（１５）・・・スライダー１２，１２ａ、１２ｗの中央突条部に、出隅キャンバスＧ１，Ｇ２、Ｇ１１の頂部１を取り付けるキャンバス嵌合溝１２１を形成し、スライダー１２，１２ａ、１２ｗの両側位置に張り出した翼板部１２３を、スライド案内通路１１２の側壁部に嵌挿する。
（１６）・・・スライダー１２，１２ａ、１２ｗの両側位置に、スリット溝１２２を備えた翼板部１２３を張り出し、当該スリット溝１２２に適宜の間隔を隔てて小車輪１２４を自由転自在に組み付け、当該小車輪１２４を、スライド案内通路１１２の側壁部に形成したレール溝１１３に嵌め込む。
前記（１３）〜（１６）により、展開した出隅キャンバスＧ１，Ｇ２の円滑、確実な横行スライドを確保する。
また、本発明の出隅キャンバスＧ１，Ｇ２、Ｇ１１と巻取りローラＪ１〜Ｊ７、その他の具体的な構成に関する従属発明を、以下に列記する。
（１７）・・・出隅キャンバスＧ１，Ｇ１１を、矩形状のキャンバス本体部Ｘ１と、その一方に張り出したキャンバス張出部Ｘ２とからなるほぼ直角台形状の展開形態に形成し、当該出隅キャンバスＧ１，Ｇ１１の頂部１をスライダー１２，１２ｗに取り付け、そのキャンバス裾部２をフロントバーＦ２，Ｆ３に取り付ける。
（１８）・・・スライダー１２，１２ｗとフロントバーＦ２，Ｆ３との間に、ワイヤ１９３，１９４やベルト等の連結部材を張り渡す。
（１９）・・・出隅キャンバスＧ２を、ほぼ三角形状の展開形態に形成し、当該三角キャンバスＧ２の斜部３ａ，３ｂに連結ワイヤ５４１，５４２を挿通し、そのワイヤ基端部を比較的長さの短いスライダー１２ａの先後両端部に取り付け、ワイヤ前端部をキャンバス裾部２ａの先後両端付近のフロントバーＦ２，Ｆ３に取り付ける。
前記（１７）〜（１９）により、出隅部Ｎ１のコーナー空間部が、直角台形状の出隅キャンバスＧ１，Ｇ１１や三角形状の出隅キャンバスＧ２により体裁良く覆われ、また、キャンバス巻き取り時と横行スライド時における出隅キャンバスＧ１，Ｇ２、Ｇ１１の面内変形を防止し、円滑な横行移動を可能とする。
また、出隅キャンバスＧ１，Ｇ２、Ｇ１１の巻き取り、巻き戻しがバランス良く行われ、展開した出隅キャンバスＧ１，Ｇ２、Ｇ１１を緊張状態に支持する。
ここで、本発明のスライダー１２，１２ａ、１２ｗと、同一機能を保持しながら、構成を簡素化した代替手段を列記する。
（２０）・・・出隅キャンバスＧ１，Ｇ２、Ｇ１１の頂部１を取り付けるスライダー１２，１２ａ、１２ｗを、出隅キャンバスＧ１，Ｇ２の頂部１に嵌め込んだスライドキャップ１２ｘに置換する。
（２１）・・・スライドキャップ１２ｘを組み込んだ巻取りローラＪ８に、矩形キャンバスＰ１，Ｐ２又は入隅キャンバスＰ３，Ｐ４のキャンバス嵌合溝１１０と、スライド案内通路１１４を形成し、その内、スライド案内通路１１１，１１４には、出隅キャンバスＧ１，Ｇ２，Ｇ１１の頂部１に嵌め込んだスライドキャップ１２ｘを組み込む。
（２２）・・・出隅キャンバスＧ１，Ｇ１１を、矩形状のキャンバス本体部Ｘ１と、その一方に張り出したキャンバス張出部Ｘ２とからなるほぼ直角台形状の展開形態に形成し、当該出隅キャンバスＧ１，Ｇ１１の頂部１に嵌め込んだスライドキャップ１２ｘと、出隅キャンバスＧ１，Ｇ１１の裾部２を取り付けたフロントバーＦ２との間に、ワイヤ１９３，１９４やベルト等の連結部材を張り渡す。
（２３）・・・出隅キャンバスＧ２を、ほぼ三角形状の展開形態に形成し、当該三角キャンバスＧ２の斜部３ａ，３ｂに連結ワイヤ５４１，５４２を挿通し、そのワイヤ基端部をスライドキャップ１２ｘの先後両端部に取り付け、ワイヤ前端部をキャンバス裾部２ａの先後両端付近のフロントバーＦ２に取り付ける。
これらの場合にも前記の場合と同様に、出隅部Ｎ１，Ｎ２のコーナー空間部が、直角台形状の出隅キャンバスＧ１や、三角形状の出隅キャンバスＧ２により体裁良く覆われ、また、キャンバス巻き取り時と横行スライド時における出隅キャンバスＧ１，Ｇ２，Ｇ１１の面内変形を防止し、円滑な横行移動を可能とする。
また、出隅キャンバスＧ１，Ｇ２，Ｇ１１の巻き取り、巻き戻しがバランス良く行われ、展開した出隅キャンバスＧ１，Ｇ２，Ｇ１１を緊張状態に支持する。
（２４）・・・巻取りローラＪ１，Ｊ２、Ｊ４〜Ｊ８に、ローラ本体１１の嵩上げ部材を取り付ける。
（２５）・・・嵩上げ部材が、螺旋状の嵩上げリング３３１であって、巻取りローラＪ１，Ｊ２、Ｊ４〜Ｊ８の中間付近からローラ先端部又は先後両端部へ向かうに連れて、そのリング外径を段階的に大きくする。
（２６）・・・出隅キャンバスＧ１，Ｇ１１の斜部３に、嵩上げ生地３２を取り付ける。
前記（２４）〜（２６）により、直角台形状の出隅キャンバスＧ１，Ｇ１１をバランス良く均等に巻き上げることができる。
（２７）・・・スライダー１２，１２ａ，１２ｗを組み込んだ巻取りローラＪ１の軸端部に、複数のキャンバスＧ１，Ｇ２、Ｇ１１、Ｐ１〜Ｐ４を巻き取ったり、巻き戻す手動装置又は電動装置を組み込む。
（２８）・・・スライダー１２，１２ａ，１２ｗを組み込んだ巻取りローラＪ２、Ｊ３の内部に、複数のキャンバスＧ１，Ｇ２、Ｇ１１、Ｐ１〜Ｐ４を巻き取ったり、巻き戻す電動モータＭ１を組み込む。
（２９）・・・電動モータＭ１の先後両端部に、モータ出力軸２７１と固定用軸部２７２を設け、一方のモータ出力軸２７１に嵌め込んだ伝動ソケット２８１を、ローラ本体１１の内部に嵌め込み、前記電動モータＭ１の後方部を、ローラ本体１１のエンドキャップ１５２に嵌挿し、他方の固定用軸部２７２を、巻取りローラＪ２，Ｊ３を収納するケーシングＫ１のエンドキャップ１４２に嵌め込む。
次に、展開した出隅キャンバスＧ１，Ｇ２、Ｇ１１をコーナー空間部へ横行スライドしたり、コーナー空間部から後退スライドする構成と、その横行装置に関する従属発明を、以下に列記する。
（３０）・・・フロントバーＦ２，Ｆ３に、出隅キャンバスＧ１，Ｇ２，Ｇ１１の横行操作用掛止部２４１を設ける。
（３１）・・・出隅キャンバスＧ１，Ｇ１１の頂部１付近に、当該キャンバスＧ１，Ｇ１１の横行操作用掛止フラップ２４２を設ける。
（３２）・・・一方の折畳みアームＶ１、Ｙ１、Ｚ１と、出隅キャンバスＧ１，Ｇ２，Ｇ１１のフロントバーＦ２，Ｆ３に、当該フロントバーＦ２，Ｆ３を横行スライドするロープやワイヤ等の伝動部材５６１，５６２、６６を掛け渡す。
（３３）・・・伝動部材５６１，５６２の一方を後退用とし、他方を前進用とし、折畳みアームＶ１，Ｙ１の基端部付近から垂れ下げる。
（３４）・・・巻取りローラＪ４〜Ｊ７の先端部に、伝動ワイヤ５６１，５６２の巻取りリール６０，６０ａ，６０ｂを組み付け、当該巻取りリール６０，６０ａ，６０ｂを正逆回転することにより、展開した出隅キャンバスＧ１，Ｇ２を横行スライドする。
（３５）・・・一方の折畳みアームＶ１、Ｙ１と、出隅キャンバスＧ１，Ｇ２，Ｇ１１のフロントバーＦ２，Ｆ３に、当該フロントバーＦ２，Ｆ３を横行スライドする後退用と前進用の伝動ワイヤ５６１，５６２を掛け渡し、当該伝動ワイヤ５６１，５６２の一方を巻き取り、その他方を巻き戻す巻取りリール６０，６０ａ，６０ｂを、巻取りローラＪ４〜Ｊ７の先端部に組み付ける。
（３６）・・・伝動ワイヤ５６１，５６２の一方を巻き取り、その他方を巻き戻す巻取りリール６０を正逆回転する電動モータＭ４と、出隅キャンバスＧ１，Ｇ２を巻き取ったり、巻き戻す巻取りローラＪ４を正逆回転する電動モータＭ１を、巻取りローラＪ４の内部に組み込む。
（３７）・・・巻取りローラＪ４の先端部に電動モータＭ４の本体後半部を挿通し、当該電動モータＭ４の本体前半部に巻取りリール６０を嵌め込んで固定し、当該電動モータＭ４の先端軸部５９１をケーシングＫ１のエンドキャップ１４６に固定する。
（３８）・・・巻取りローラＪ５〜Ｊ７に、当該巻取りローラＪ５〜Ｊ７と巻取りリール６０，６０ａ，６０ｂを正逆回転する１体の電動モータＭ５、Ｍ６又は駆動軸７３を組み込み、前記巻取りローラＪ５〜Ｊ７と巻取りリール６０，６０ａ，６０ｂのいずれか一方の動作を外部から拘束することで、その回転を制止すると、他方の巻取りローラＪ５〜Ｊ７と巻取りリール６０，６０ａ，６０ｂのいずれかが反動回転するか、或いは、逆回転する。
（３９）・・・巻取りローラＪ５〜Ｊ７の回転を外部から制止する手段が、当該巻取りローラＪ５〜Ｊ７の後端部に取り付けた回転ストッパー６１１と、当該回転ストッパー６１１が係止する案内突起１３５とからなり、当該案内突起１３５を、出隅キャンバスＧ１，Ｇ２を巻き取り収納するケーシングＫ１の背面内壁部に設ける。
（４０）・・・巻取りローラＪ５の先端部に、電動モータＭ５の本体後半部を挿通し、当該電動モータＭ５の後端出力軸５９４を、巻取りローラＪ５の内部に嵌挿した伝動ソケット２８１に嵌め込んで固定し、当該電動モータＭ５の本体前半部に巻取りリール６０を嵌め込んで固定し、当該電動モータＭ５の先端支軸５９３を、巻取りローラＪ５を収納するケーシングＫ１のエンドキャップ１４６に軸受支持する。
（４１）・・・電動モータＭ６の本体部又は手動回転する駆動軸７３に太陽歯車７０を嵌め込み、巻取りリール６０ａ，６０ｂに内歯歯車７１を形成し、前記太陽歯車７０と内歯歯車７１に噛み合う遊星歯車７２を、巻取りローラＪ６，Ｊ７の先端部に取り付ける。
（４２）・・・巻取りローラＪ６の先端部に電動モータＭ６の本体後半部を挿通し、当該電動モータＭ６の本体後方部を、前記巻取りローラＪ６の内部に嵌挿した伝動ソケット２８３に嵌挿し、当該電動モータＭ６の先端部に巻取りリール６０ａを嵌挿し、当該電動モータＭ６の先端軸部５９１を、巻取りローラＪ６を収納するケーシングＫ１のエンドキャップ１４６に固定する。
（４３）・・・巻取りローラＪ７の先端部に駆動軸７３の後半部を挿通し、当該駆動軸７３の後端付近を、巻取りローラＪ７の内部に嵌挿した伝動ソケット２８３に嵌挿し、当該駆動軸７３の先端寄りの位置に巻取りリール６０ｂを嵌挿すると共に、手動の歯車装置１６１，１６２を形成し、前記駆動軸７３の先端部を、巻取りローラＪ７を収納するケーシングＫ１のエンドキャップ１４６に軸受支持する。
（４４）・・・巻取りリール６０，６０ａ，６０ｂを組み込んだ巻取りローラＪ４〜Ｊ７のケーシングＫ１の先端位置に、前記巻取りリール６０，６０ａ，６０ｂのケーシングを兼ねたエンドキャップ１４６を取り付け、その底部には、前記巻取りリール６０，６０ａ，６０ｂの伝動ワイヤ５６１，５６２を挿通する案内長孔１４８，１４９を開口形成する。
（４５）・・・出隅キャンバスＧ１，Ｇ２，Ｇ１１のフロントバーＦ２，Ｆ３の上部後端縁に、当該キャンバスＧ１，Ｇ２，Ｇ１１の裾部２，２ａを押し上げ付勢する揺動フラップ６２を取り付ける。
これにより、収納時における上部側キャンバスの弛緩を簡単に防止する。
（４６）・・・出隅キャンバスＧ１，Ｇ２、Ｇ１１のフロントバーＦ２，Ｆ３の上部後端縁と、出隅キャンバスＧ１，Ｇ２の裾部２，２ａ寄りの裏面に伸縮ネット６３１を編成する。
これにより、展開時に上部側キャンバスを緊張支持し、収納時の弛み代を吸収する。
また、フロントバーの相互関係とその構成に関する従属発明を、以下に列記する。
（４７）・・・出隅キャンバスＧ１，Ｇ２のフロントバーＦ２をアウターとし、矩形キャンバスＰ１，Ｐ２又は入隅キャンバスＰ３，Ｐ４のフロントバーＲ２をインナーとする。
（４８）・・・アウター側のフロントバーＦ２には、出隅キャンバスＧ１，Ｇ２、Ｇ１１の裾部２を嵌め込む嵌合溝３５１と、フロントスカート２２１の嵌合溝３５２をそれぞれ長手方向へ形成し、インナー側のフロントバーＲ２には、矩形キャンバスＰ１，Ｐ２又は入隅キャンバスＰ３，Ｐ４の裾部６を嵌め込む嵌合溝３８１と、フロントスカート３９１の嵌合溝３８２をそれぞれ長手方向へ形成する。
（４９）・・・インナー側のフロントバーＲ２に、アウター側のフロントバーＦ２のスライド案内溝３７１，３７２を長手方向へ形成する。
（５０）・・・横行案内レールＲ４に出隅キャンバスＧ１１のフロントバーＦ３をスライド自在に嵌挿し、当該フロントバーＦ３に出隅キャンバスＧ１のフロントバーＦ２をスライド自在に嵌挿する。
（５１）・・・フロントバーＦ２には、出隅キャンバスＧ１の裾部２を嵌め込む嵌合溝３５１と、フロントスカート２２１の嵌合溝３５２をそれぞれ長手方向へ形成し、フロントバーＦ３には、出隅キャンバスＧ１１の裾部６を嵌め込む嵌合溝３８１と、フロントスカート３９１の嵌合溝３８２と、前記フロントバーＦ２のスライド案内溝３７１，３７２をそれぞれ長手方向へ形成し、横行案内レールＲ４には、前記フロントバーＦ３のスライド案内溝４４１，４４２を長手方向へ形成する。
また、フロントバーを転動構造とする従属発明を列記する。
（５２）・・・インナー側のフロントバーＲ５にアウター側のフロントバーＦ５を転動案内自在に嵌挿するに、前記フロントバーＦ５の後端部に水平回転する案内車輪８６１，８６２を内蔵し、前記フロントバーＲ５の先端部に水平回転する案内車輪９３１，９３２を設け、当該案内車輪９３１，９３２が、前記フロントバーＦ５の内側面を転動し、前記案内車輪８６１，８６２が、前記フロントバーＲ５の上下位置に形成した車輪室８８１，８８２を転動するようにする。
（５３）・・・インナー側のフロントバーＲ５の先端部に車輪ホルダー９２を嵌挿固定し、当該車輪ホルダー９２の先端上下位置に、水平回転する案内車輪９３１，９３２を軸受支持する。
最後に、前記した本発明の主要部を構成し、それ自体、互換性ある単体製品としての独自性を備えた複数キャンバスの巻取りローラＪ１〜Ｊ７の発明を、以下に列記する。
（５４）・・・出隅キャンバスＧ１，Ｇ２と矩形キャンバスＰ１，Ｐ２又は入隅キャンバスＰ３，Ｐ４を重ね合わせて巻き取ったり、巻き戻すローラ本体１１に、
当該矩形キャンバスＰ１，Ｐ２又は入隅キャンバスＰ３，Ｐ４を取り付けるキャンバス嵌合溝１１０と、スライド案内通路１１２を軸線方向へ平行に形成し、
その内、スライド案内通路１１２には、展開した出隅キャンバスＧ１，Ｇ２を横行スライド自在とするスライダー１２，１２ａを組み込んだことを特徴とする（Ｊ１〜Ｊ７）。
（５５）・・・スライダー１２，１２ａを組み込んだローラ本体１１の軸端部に、
出隅キャンバスＧ１，Ｇ２と矩形キャンバスＰ１，Ｐ２又は入隅キャンバスＰ３，Ｐ４を重ね合わせて巻き取ったり、巻き戻す手動装置又は電動装置を組み込む（Ｊ１）。
（５６）・・・スライダー１２，１２ａを組み込んだローラ本体１１の内部に、出隅キャンバスＧ１，Ｇ２と矩形キャンバスＰ１，Ｐ２又は入隅キャンバスＰ３，Ｐ４を重ね合わせて巻き取ったり、巻き戻す電動モータＭ１を組み込む（Ｊ２）。
（５７）・・・電動モータＭ１の先後両端部に、モータ出力軸２７１と固定用軸部２７２を設け、一方のモータ出力軸２７１に嵌め込んだ伝動ソケット２８１を、ローラ本体１１の内部に嵌め込み、前記電動モータＭ１の後方部を、ローラ本体１１のエンドキャップ１５２に嵌挿し、他方の固定用軸部２７２を、出隅キャンバスＧ１，Ｇ２と矩形キャンバスＰ１，Ｐ２又は入隅キャンバスＰ３，Ｐ４を重ね合わせて巻き取り収納するケーシングＫ１のエンドキャップ１４２に嵌め込む（Ｊ２）。
（５８）・・・スライダー１２，１２ａを組み込んだローラ本体１１の先端部に、伝動ワイヤ５６１，５６２の巻取りリール６０，６０ａ，６０ｂを組み付け、
当該巻取りリール６０，６０ａ，６０ｂを正逆回転することにより、展開した出隅キャンバスＧ１，Ｇ２を横行スライドする（Ｊ４〜Ｊ７）。
（５９）・・・スライダー１２，１２ａを組み込んだローラ本体１１の内部に、出隅キャンバスＧ１，Ｇ２と矩形キャンバスＰ１，Ｐ２又は入隅キャンバスＰ３，Ｐ４を重ね合わせて巻き取ったり、巻き戻す電動モータＭ１と、伝動ワイヤ５６１，５６２の一方を巻き取り、その他方を巻き戻す巻取りリール６０を正逆回転する電動モータＭ４を組み込む（Ｊ４）。
（６０）・・・ローラ本体１１の先端部に電動モータＭ４の本体後半部を挿通し、当該電動モータＭ４の本体前半部に巻取りリール６０を嵌め込んで固定し、当該電動モータＭ４の先端軸部５９１を、ケーシングＫ１のエンドキャップ１４６に固定する（Ｊ４）。
（６１）・・・スライダー１２，１２ａを組み込んだローラ本体１１と、伝動ワイヤ５６１，５６２の巻取りリール６０，６０ａ，６０ｂを正逆回転する１体の電動モータＭ５，Ｍ６又は駆動軸７３を備えた巻取りローラＪ５〜Ｊ７であって、
前記ローラ本体１１と巻取りリール６０，６０ａ，６０ｂのいずれか一方の動作を外部から拘束することで、その回転を制止すると、他方のローラ本体１１と巻取りリール６０，６０ａ，６０ｂのいずれかが反動回転するか、或いは、逆回転する（Ｊ５〜Ｊ７）。
（６２）・・・ローラ本体１１の先端部に、電動モータＭ５の本体後半部を挿通し、当該電動モータＭ５の後端出力軸５９４を、ローラ本体１１の内部に嵌挿した伝動ソケット２８１に嵌め込んで固定し、当該電動モータＭ５の本体前半部に巻取りリール６０を嵌め込んで固定し、当該電動モータＭ５の先端支軸５９３を、ケーシングＫ１のエンドキャップ１４６に軸受支持する（Ｊ５）。
（６３）・・・電動モータＭ６の本体部又は手動回転する駆動軸７３に太陽歯車７０を嵌め込み、巻取りリール６０ａ，６０ｂに内歯歯車７１を形成し、前記太陽歯車７０と内歯歯車７１に噛み合う遊星歯車７２を、ローラ本体１１の先端部に取り付ける（Ｊ６，Ｊ７）。
（６４）・・・ローラ本体１１の先端部に電動モータＭ６の本体後半部を挿通し、当該電動モータＭ６の本体後方部を、前記ローラ本体１１の内部に嵌挿した伝動ソケット２８３に嵌挿し、当該電動モータＭ６の先端部に巻取りリール６０ａを嵌挿し、当該電動モータＭ６の先端軸部５９１を、ケーシングＫ１のエンドキャップ１４６に固定する（Ｊ６）。
（６５）・・・ローラ本体１１の先端部に駆動軸７３の後半部を挿通し、当該駆動軸７３の後端付近を、前記ローラ本体１１の内部に嵌挿した伝動ソケット２８３に嵌挿し、当該駆動軸７３の先端寄りの位置に巻取りリール６０ｂを嵌挿すると共に、手動の歯車装置１６１，１６２を形成し、前記駆動軸７３の先端部を、ケーシングＫ１のエンドキャップ１４６に軸受支持する（Ｊ７）。
【図面の簡単な説明】  図１〜図２７は、折畳みアーム方式の複合装置であって、出隅用オーニング装置と矩形オーニング装置を組み合わせた第１グループの複合装置の実施態様を示している。
図中、キャンバスは、通常、不透質であり、隠れて見えない裏側の構成を見せるため、必要に応じてキャンバスを透視状態で示している。同様に、ケーシング内部に組み込んだ巻取りローラについても、必要に応じてケーシングを透視して図示している。
尚、多くの図面では、オーニング装置をＬ字状、帯板状、クランク状、コ字状等の枠体に、ほぼ水平状態に取り付けているように立体的に図示しているが、それは図面を描出する上での便宜に基づくことである。通常、展開した出隅キャンバスや矩形キャンバス等が、適宜の前傾状態となるように固定的に、或いは、角度可変自在に取り付けられる。
図１（Ａ）、（Ｂ）は、出隅部の一方と他方に向かい合せた第１例の複合装置ＳＱＩＩ１を示す斜視図であって、その内、図（Ｂ）は透視図である。
図２（Ａ）、（Ｂ）は、コーナー空間部へ張り出した出隅キャンバスと、矩形キャンバスの重ね合わせ代が比較的短い場合で、折畳みアームを二つ折れ自在とする複合装置ＳＱＩＩ１の透視図であって、その内、図（Ｂ）には、出隅キャンバスとそのフロントバーを、矩形キャンバスのフロントバーから分離した状態を示している。
図３（Ａ）、（Ｂ）は、複合装置ＳＱＩＩ１の要部を示す縦断側面図であって、その内、図（Ａ）には、フロントバーを支持する折畳みアームと、その前後両端部のブラケットを想像線で示している。図（Ｂ）には、巻取りローラの手動装置を示している。
図４（Ａ）〜（Ｃ）は、出隅キャンバスと矩形キャンバスの重なり合い付近を示す縦断斜視図と、その分解斜視図であって、、その内、図（Ｂ）の上方から下方にかけて、順次、ローラ本体の下半部、それに組み込まれるスライダー、出隅キャンバスの後方部、当該キャンバスに挿通した連結ワイヤ、その下部位置に矩形キャンバスを階層別に示している。また、図（Ｃ）の右側位置には、出隅キャンバスのフロントバーを、中間位置には矩形キャンバスのフロントバーを、左側位置に折畳みアームのブラケットをそれぞれ示している。
図５（Ａ）、（Ｂ）は、複合装置ＳＱＩＩ１の横断平面図であって、その内、図（Ａ）には、展開した出隅キャンバスがコーナー空間部に張り出した場合を、図（Ｂ）には、出隅キャンバスが巻取りローラの後方部へ後退した場合をそれぞれ示している。
図６（Ａ）〜（Ｃ）は、手動装置を組み込んだキャンバス巻取り装置の主要部を示す斜視図であって、その内、図（Ｂ）には、ケーシング、巻取りローラ、スライダー、手動装置等の構成部材を分解して示している。図（Ｃ）には、巻取りローラとスライダーの要部を一部拡大し、連結ワイヤの基端部を挟み込んで固定するビスを示している。
図７（Ａ）〜（Ｃ）は、出隅キャンバスとそのフロントスカート、それらのワイヤ類を示す分解斜視図であって、その内、図（Ｃ）の左右位置には、連結ワイヤの両端部を部分拡大している。
図８（Ａ）、（Ｂ）は、出隅キャンバスの平面図と、当該キャンバスの交差通路に挿通したワイヤ類を示すＸ−Ｘ線拡大断面図である。図８（Ｃ）は、後記する図４４（Ａ）に示す出隅キャンバスの頂部の先端付近に突出形成した掛止フラップの裁断状態を想像線で、その突出部分を折り曲げて縫着した状態を破線で示している。
図９（Ａ）、（Ｂ）は、巻取りローラに電動モータを組み込んだキャンバス巻取り装置の主要部と、その構成部材を示す斜視図である。
図１０（Ａ）〜（Ｄ）と図１１（Ａ）〜（Ｄ）は、コーナー空間部に張り出した出隅キャンバスと、後退した出隅キャンバスと矩形キャンバスの巻き取り過程を示す斜視図と平面図であって、その逆順序が両キャンバスの巻き戻し展開過程と、出隅キャンバスのコーナー空間部への前進過程を示している。
図１２（Ａ）〜（Ｃ）は、嵩上げリングを嵌め込んだ巻取りローラを示す斜視図とその縦断面図であって、その内、図（Ｂ）には、ローラ先端寄りの位置の嵩上げ部を、図（Ｃ）には、ローラ本体の後半位置の断面をそれぞれ示している。
図１３（Ａ）〜（Ｃ）は、後退した出隅キャンバスと矩形キャンバスの巻き取り過程を示す斜視図である。
図１４（Ａ）〜（Ｄ）と図１５（Ａ）〜（Ｄ）は、同調ベルトを掛架した第２実施例の複合装置ＳＱＩＩ２の作動過程を示す斜視図と平面図である。
図１６（Ａ）〜（Ｄ）は、嵩上げリングを嵌め込んだ巻取りローラを示す斜視図とその縦断面図であって、その内、図（Ｂ）には、ローラ本体の先端位置のベルト巻取り部を、図（Ｃ）には、ローラ先端寄りの位置の嵩上げ部を、図（Ｄ）には、ローラ本体の後半位置の断面をそれぞれ示している。
図１７（Ａ）〜（Ｃ）は、後退した出隅キャンバスと矩形キャンバスと同調ベルトの巻き取り過程を示す斜視図である。
図１８（Ａ）〜（Ｄ）と図１９（Ａ）〜（Ｄ）は、巻取りローラの長さと同程度とする長尺の矩形キャンバスと、出隅キャンバスを組み合わせた第３実施例の複合装置ＳＱＩＩ３の作動過程を示す斜視図と平面図である。
図２０（Ａ）〜（Ｄ）と図２１（Ａ）〜（Ｄ）は、出隅キャンバスをほぼ三角形状の三角キャンバスとする第４実施例の複合装置ＳＱＩＩ４の作動過程を示す斜視図と平面図である。
図２２（Ａ）、（Ｂ）は、三角キャンバスを複合装置ＳＱＩＩ４の巻取りローラに下巻きする場合を示す斜視図であって、図（Ａ）には、三角キャンバスの頂部をスライダーに取り付ける前の分解状態を示し、図（Ｂ）には、巻取りローラに三角キャンバスと矩形キャンバスを重ね合わせて巻き取る場合や巻き戻して展開した場合を示している。
図２３（Ａ）〜（Ｄ）と図２４（Ａ）〜（Ｄ）は、折畳みアームを逆ｙ字状とする第５実施例の複合装置ＳＱＩＩ５の作動過程を示す斜視図と平面図である。
図２５（Ａ）〜（Ｄ）と図２６（Ａ）〜（Ｄ）は、同調ベルトを掛架した第６実施例の複合装置ＳＱＩＩ６の作動過程を示す斜視図と平面図である。
図２７（Ａ）〜（Ｄ）と図２８（Ａ）〜（Ｄ）は、巻取りローラの長さと同程度とする長尺の矩形キャンバスと、出隅キャンバスを組み合わせた第７実施例の複合装置ＳＱＩＩ７の作動過程を示す斜視図と平面図である。
図２９（Ａ）〜（Ｃ）は、嵩上げ生地を縫着した出隅キャンバスと矩形キャンバスを重ね合わせて巻取りローラに巻き付ける状態と、巻き付け途中の断面状態を示している。
図３０（Ａ）、（Ｂ）は、出隅部の一方と他方に向かい合わせた複合装置の連動構造を示す図であって、その内、図（Ａ）には、斜歯歯車又は傘歯車による噛み合い構造を、図（Ｂ）には、手動の歯車連動装置を示している。
図３１（Ａ）〜（Ｃ）は、出隅用オーニング装置と入隅用オーニング装置とからなる第２グループの複合装置ＳＵＩＩ１の第１実施例を示す斜視図であって、その内、図（Ｃ）には、出隅キャンバスとそのフロントバーを手前側へ分離した状態を示している。
図３２（Ａ）〜（Ｄ）と図３３（Ａ）〜（Ｄ）は、出隅キャンバスと入隅キャンバスの重ね合わせ代が比較的短い場合の複合装置ＳＵＩＩ１の作動過程を示す斜視図と平面図である。
図３４（Ａ）〜（Ｄ）と図３５（Ａ）〜（Ｄ）は、巻取りローラの長さと同程度とする長尺の入隅キャンバスと、出隅キャンバスを組み合わせた第３実施例の複合装置ＳＵＩＩ２の作動過程を示す斜視図と平面図である。
図３６（Ａ）、（Ｂ）は、一方の出隅部と他方の出隅部との間に取り付ける第３グループの複合装置ＳＱＳＩＶ１の第１実施例を示す斜視図であって、その内、図（Ｂ）には、中間部の矩形オーニング装置に対して、先後位置の出隅用オーニング装置の前部位置を手前側へ分離した状態を示している。
図３７（Ａ）〜（Ｄ）は、複合装置ＳＱＳＩＶ１の作動過程を示す平面図であって、その内、図（Ｂ）〜（Ｄ）には、装置中央付近へ後退した先後２体の出隅キャンバスと矩形キャンバスの巻き取り過程を示している。
図３８（Ａ）〜（Ｃ）は、一方の出隅部と他方の出隅部との間に、背中合わせに組み合わせた出隅用オーニング装置の２体を先後対称で、上下に齟齬して取り付けた第４グループの複合装置ＳＳＩＩを示す斜視図であって、その内、図（Ｃ）には、中間部の横行案内レールに、先後位置の出隅用オーニング装置のフロントバーを手前側へ分離させて齟齬した状態を示している。
図３９（Ａ）、（Ｂ）は、巻取りローラに２体のスライダーを組み込んだ複合装置ＳＳＩＩの要部を示す縦断側面図であって、その内、図（Ａ）には、フロントバーを支持する折畳みアームと、その前後両端部のブラケットを想像線で示している。図（Ｂ）には、巻取りローラの手動装置を示している。
図４０（Ａ）〜（Ｃ）は、出隅キャンバス２体の重なり合い付近を示す縦断斜視図と、その分解斜視図であって、その内、図（Ｂ）の上方から下方にかけて、順次、ローラ本体の下半部、それに組み込まれる一方のスライダー、出隅キャンバスの後方部、当該キャンバスに挿通した連結ワイヤ、その下部位置に他方のスライダーと出隅キャンバスを階層別に示している。また、図（Ｃ）の右側位置には、一方の出隅キャンバスのフロントバーを、中間位置には他方の出隅キャンバスのフロントバーを、左側位置には、横行案内レールと折畳みアームのブラケットをそれぞれ示している。
図４１（Ａ）、（Ｂ）は、複合装置ＳＳＩＩの横断平面図であって、その内、図（Ａ）には、展開した出隅キャンバスの２体が先後両側方のコーナー空間部に張り出した場合を、図（Ｂ）には、出隅キャンバスの２体をコーナー空間部から引き下げて重ね合わせた場合をそれぞれ示している。
図４２（Ａ）、（Ｂ）は、巻取りローラに電動モータを組み込んだキャンバス巻取り装置の主要部と、その構成部材を示す斜視図である。
図４３（Ａ）〜（Ｄ）と図４４（Ａ）〜（Ｄ）は、複合装置ＳＳＩＩの作動過程を示す斜視図と平面図であって、その内、図（Ｂ）〜（Ｄ）には、一方と他方のコーナー空間部から後退した２体の出隅キャンバスを重ね合わせて巻き取る過程を示している。
図４５（Ａ）〜（Ｃ）は、出隅キャンバスの横行操作用掛止フラップを形成した複合装置ＳＱＩＩ１を示す斜視図であって、その内、図（Ａ）には、掛止フラップを部分拡大し、図（Ｂ）、（Ｃ）には、出隅キャンバスをコーナー空間部に張り出した状態と、後退スライドした状態を示している。
図４６（Ａ）〜（Ｃ）は、出隅キャンバスを横行スライドする手動操作用伝動ロープを、Ｖ字アームとフロントバーに掛け渡した複合装置ＳＱＩＩ１ａと、その要部を示す斜視図と平面図である。
図４７（Ａ）、（Ｂ）は、伝動ロープによる出隅キャンバスの後退スライド過程と前進スライド過程を示す斜視図である。
図４８（Ａ）、（Ｂ）は、Ｖ字アームとフロントバーに掛け渡した伝動ワイヤと、その巻取りリールを組み込んだ複合装置ＳＱＩＩ１ｂと、その要部を示す斜視図である。
図４９（Ａ）、（Ｂ）は、巻取りリールを組み込んだ巻取りローラの縦断面を示す模式図であって、その内、図（Ａ）には、巻取りリールと巻取りローラを２体の電動モータにより個別回転する場合を、図（Ｂ）には、それを反動回転する１体の電動モータにより駆動する場合をそれぞれ示している。
図５０（Ａ）、（Ｂ）は、図４９（Ａ）に示す第４例の巻取りローラを組み込んだキャンバス巻取り装置の主要部と、その構成部材を分解した斜視図である。
図５１（Ａ）、（Ｂ）は、図４９（Ｂ）に示す第５例の巻取りローラを組み込んだキャンバス巻取り装置の主要部と、その構成部材を分解した斜視図である。
図５２（Ａ）〜（Ｄ）は、巻取りリールを組み込んだ複合装置ＳＱＩＩ１ｂの作動過程を示す斜視図であって、コーナー空間部へ張り出した出隅キャンバスの後退スライド過程と、後退した出隅キャンバスと矩形キャンバスの巻き取り過程を示している。
図５３（Ａ）〜（Ｆ）の内、図（Ａ）は、第５例の巻取りローラの模式図とその回転ストッパーを示す横断平面図、図（Ｂ）〜（Ｆ）は、コーナー空間部へ張り出した出隅キャンバスが後退移動した上で、巻取りローラに巻き上げ収納される過程を段階的に示す図であって、各図の左側位置から図（Ａ）のａ−ａ線、ｂ−ｂ線、ｃ−ｃ線の断面状態を順次示すと共に、その各段階における要部斜視図を右側位置に付加している。
図５４（Ｇ）〜（Ｋ）は、出隅キャンバスの巻き戻し展開過程と、更に、コーナー空間部へ向けて前進移動して張り出す過程を段階的に示す図であって、図５３（Ｂ）〜（Ｆ）の場合と同様な位置関係にレイアウトしている。
図５５（Ａ）、（Ｂ）は、差動歯車機構を組み込んだ第６例と第７例の巻取りローラの縦断面を示す模式図であって、その内、図（Ａ）には、巻取りリールと巻取りローラを１体の電動モータにより駆動する場合を、図（Ｂ）には、それを手動装置により駆動する場合をそれぞれ示している。
図５６（Ａ）、（Ｂ）は、図５５（Ａ）に示す第６例の巻取りローラを組み込んだキャンバス巻取り装置の主要部と、その構成部材を分解した斜視図である。
図５７（Ａ）、（Ｂ）は、図５５（Ｂ）に示す第７例の巻取りローラを組み込んだキャンバス巻取り装置の主要部と、その構成部材を分解した斜視図である。
図５８〜図６１は、ラテラルアーム方式の第１実施例と第２実施例の複合装置ＳＱＬ１・２を示す図である。
図５８（Ａ）、（Ｂ）は、出隅部の一方と他方に向かい合わせた複合装置ＳＱＬ１を見上げた状態を示す斜視図であって、図（Ｂ）には、出隅キャンバスとそのフロントバー、出隅キャンバスをスライド操作する伝動ロープの掛架状態をそれぞれ分離して示しており、その最下段部の左右位置には、伝動ロープの挿通部分を拡大して図示している。
図５９（Ａ）〜（Ｄ）と図６０（Ａ）〜（Ｄ）は、コーナー空間部へ張り出した出隅キャンバスと、後退した出隅キャンバスと矩形キャンバスの巻き取り過程を示す斜視図と側面図であって、その逆順序が両キャンバスの巻き戻し展開過程と、展開した出隅キャンバスのコーナー空間部への前進横行過程を示している。
図６１（Ａ）〜（Ｃ）は、フロントバーの折畳みアームを、パンタグラフ構造の伸縮リンクに置換した第２実施例の複合装置ＳＱＬ２を示す図であって、その内、図（Ｂ）には、伸縮リンクが伸長し、上部側と下部側のキャンバスを引き出して展開した状態の側面を、図（Ｃ）には、両キャンバスを巻き上げ、伸縮リンクが押し込まれて折り畳まれた状態の側面をそれぞれ示している。
図６２（Ａ）〜（Ｃ）は、出隅キャンバスのフロントバーに取り付けた弾力性ある揺動フラップの動作過程を示す図である。
図６３（Ａ）〜（Ｃ）は、出隅キャンバスの裾部寄りの裏面に、出隅キャンバスを緊張支持する伸縮ネットを編成した場合を示す図であって、その内、図（Ｂ）には、キャンバス展開時の縦断面を、図（Ｃ）には、巻き取り収納時の縦断面をそれぞれ示している。
図６４（Ａ）、（Ｂ）は、第１例〜第７例の巻取りローラに組み込んだスライダーを、スライドキャップに置換した第８例の巻取りローラを示す斜視図と分解図である。
図６５は、ローラ本体に形成したキャンバス嵌合溝に嵌め込んだ矩形キャンバス又は入隅キャンバスと、その隣接位置に形成したスライド案内溝に、出隅キャンバスの頂部に嵌め込んだスライドキャップを、遊嵌状態に組み込んだ要部拡大断面図である。
図６６（Ａ）、（Ｂ）は、ローラ本体に２条のスライド案内溝を形成した場合で、その内、図（Ａ）には、２体の出隅キャンバスを取り付けた第４タイプの複合装置における展開状態の要部拡大断面を示し、図（Ｂ）には、第１〜第３タイプの複合装置における出隅キャンバスとその他のキャンバスを取り付けた場合を示している。
図６７（Ａ）、（Ｂ）は、フロントバーを転動構造に置換した場合における複合装置の前部を示す斜視図であって、その内、図（Ａ）はアウターの後退収納時を、図（Ｂ）はアウターの前進押出時をそれぞれ示している。
図６８は、図６７（Ｂ）に示すフロントバーの嵌挿状態を示す要部斜視図である。
図６９（Ａ）〜（Ｃ）は、図６８に示す各部の縦断側面図であって、その内、図（Ｂ）はインナー先端部に内蔵した上下の案内車輪を結ぶ位置の断面を、図（Ｃ）はアウター後端部に内蔵した上下の案内車輪を結ぶ位置の断面をそれぞれ示している。
【発明を実施するための最良の形態】  以下、本発明の実施形態を添付図面に従って説明するに、第１には、図１〜図４４に示す折畳みアーム方式の複合装置とその関連構成を説明する。
第２には、複合装置の出隅キャンバスを、図４６と図４７に示す手動操作用伝動ロープにより横行スライドしたり、図４８〜図５７に示す電動モータや手動装置により横行スライドしたり、巻き取り・巻き戻し駆動する場合の実施形態を説明する。
第３には、図５８〜図６１に示すラテラルアーム方式の複合装置とその関連構成を説明する。その上で、第４には、複合装置におけるキャンバス収納時とキャンバス展開時の緊張支持装置を説明する。
最後に、複数キャンバスの巻取りローラに関する他の実施形態を説明する。
折畳みアーム方式の複合装置について
この方式の複合装置は、それを、便宜上、第１〜第４グループに分けすることができ、その内、第１グループの複合装置ＳＱＩＩ１〜７は、図１〜図２８に示すように、主に、建物の一方の、例えば、装置先端部が出隅部Ｎ１で、その後方部にかけての正面壁Ｗ１や側面壁Ｗ２を、直線区間（緩やかな曲線区間でも可）とする場所を対象として取り付けられる。
第２グループの複合装置ＳＵＩＩ１・２は、図３１〜図３５に示すように、一方が出隅部Ｎ１で、他方を入隅部Ｌとする外壁Ｗ１部分の直線区間に取り付けられる。
第３グループの複合装置ＳＱＳＩＶは、図３６と図３７に示すように、その先後両端部が出隅部Ｎ１、Ｎ２で、その間の直線区間が相対的に長い外壁Ｗ１，Ｗ２部分を対象とする。
第４グループの複合装置ＳＳＩＩは、図３８〜図４４に示すように、一方の出隅部Ｎ１と他方の出隅部Ｎ１の距離が第３グループの場合に比して相対的に短い直線区間を対象とする。以下、第１〜第４グループの複合装置を、添付図面に従って順次説明する。
第１グループの複合装置について
このグループの複合装置は、出隅部Ｎ１のコーナー空間部を覆う出隅キャンバスＧ１，Ｇ２のオーニング装置Ｓ１，Ｓ２（以下、出隅用オーニング装置という）と、直線区間の建物外回りを覆う長短いずれかの矩形キャンバスＰ１，Ｐ２のオーニング装置Ｑ１，Ｑ２（以下、矩形オーニング装置という）を複合一体化している。
【実施例１】  そこで、図１〜図１１に示す第１実施例の複合装置ＳＱＩＩ１における出隅用オーニング装置Ｓ１と矩形オーニング装置Ｑ１の各部の構成と、その有機的な結合関係を説明する。
（１）キャンバス巻取り装置について
Ｋ１は巻取りローラＪ１を軸受支持するケーシングであって、出隅部Ｎ１のコーナー寄り位置から後方にかけての直線区間の外壁Ｗ１（正面壁）、Ｗ２（側面壁）の壁際部分に、ほぼ水平状態に直接取り付けるか、適宜の支持ブラケット（図示せず）を介して間接的に固定し、必要に応じて、その前傾角度を可変調整自在に取り付ける。
巻取りローラＪ１は、図６（Ｂ）、（Ｃ）に示すように、押出し成型した中空円筒状のローラ本体１１と、その内部にスライド自在に嵌挿支持したスライダー１２とからなり、出隅キャンバスＧ１，Ｇ２と矩形キャンバスＰ１，Ｐ２を重ね合わせて巻き付けたり、巻き戻すようにしている。
１１１はローラ本体１１表面の軸線方向に形成したスリット、１１２はその内側部に形成したスライダー１２の案内通路（以下、スライド案内通路という）であって、スライダー１２の中央突条部が前記スリット１１１に、スライダー１２の本体部がスライド案内通路１１２に嵌め込まれる。１１０は矩形キャンバスＰ１，Ｐ２を取り付けるΩ状のキャンバス嵌合溝であって、前記スライド案内通路１１２に隣接させて軸線方向に並行に形成している。１２１はスライダー１２の中央突条部に形成したΩ字状のキャンバス嵌合溝であって、出隅キャンバスＧ１が取り付けられる。
１２３はスリット１２２を備えた翼板部であって、スライダー１２の本体部の両側位置に張り出している。１２４はスリット１２２に適宜間隔を隔てて嵌め込んだ小車輪であって、ピン１２５により回転自在に組み付けられ、前記スライド案内通路１１２の側壁部に形成したレール溝１１３を転動案内する。
１３１はケーシングＫ１の前面に開口形成したキャンバス引出口、１４１，１４２はケーシングＫ１の先後両端部に嵌め込んだエンドキャップであって、その内部には、丸孔を穿設した軸受部１４３，１４４を突設している。１５１、１５２はローラ本体１１の先後両端部に嵌め込んだエンドキャップであって、そのキャップ本体部に貫通固定した支軸１５３，１５４を、前記軸受部１４３，１４４にそれぞれ回転自在に嵌め込んでいる。
１６１はエンドキャップ１５１の支軸１５３に嵌合固定したウォーム歯車、１６２はウォーム歯車１６１と噛み合うウォームであって、そのウォーム回転軸１６３を、図３（Ｂ）に示すように、エンドキャップ１４１内部の上下軸受部１４５に鉛直支持し、その下端部に操作ロッド（図示せず）と係合するフック１６４を形成している。これにより、巻取りローラＪ１が手動により正逆回転自在に操作される。
尚、前記の場合、エンドキャップ１４１，１４２それ自体を、巻取りローラＪ１の軸受用ブラケットとして、外壁Ｗ１，Ｗ２から突出して取り付けた場合には、ケーシングＫ１の必要性が任意なものとなる。
（２）キャンバスについて
ここで、図７（Ａ）〜（Ｃ）と図８（Ａ）、（Ｂ）に示す出隅キャンバスＧ１と、それに組み込まれるワイヤ類の構成を説明する。
出隅キャンバスＧ１は、布製や合成樹脂製等のテント生地により、その展開形状をほぼ直角台形状の平面形態に形成され、矩形状のキャンバス本体部Ｘ１と、その一方に張り出した直角三角形状のキャンバス張出部Ｘ２とからなる。
その外形形状としては、キャンバス上縁部の頂辺１（以下、キャンバス頂部という）とキャンバス下縁部の裾辺２（以下、キャンバス裾部という）を天地平行に形成し、キャンバス裾部２の先端部からキャンバス頂部１の先端部にかけて傾斜角度４５度程度の斜辺３（以下、キャンバス斜部という）を裾拡がりに形成し、また、キャンバス裾部２の後端部からキャンバス頂部１の後端部に向けて鉛直な垂辺４（以下、キャンバス鉛直部という）を形成している。
１８１，１８２はキャンバス頂部１とキャンバス裾部２に形成した袋状の通孔であって、その内部にワイヤ１８３，１８４やチューブ、ロープ等の固定部材を挿通する。
１９１，１９２はキャンバス本体部Ｘ１の四隅部を斜めに結ぶ対角線上に形成した袋状の交差通孔であって、その内部に連結ワイヤ１９３，１９４や連結ベルト、ロープ等のキャンバス緊張部材を貫挿し、そのワイヤ先端部の係合片１９５，１９６を、交差通孔１９１，１９２の頂部引出口から斜め上方へ引き出し、ワイヤ末端部とその止め具１９７，１９８を、交差通孔１９１，１９２の底部引出口から斜め下方へ引き出す。
そこで、出隅キャンバスＧ１を巻取りローラＪ１に取り付けるには、先ず、スライダー１２のキャンバス嵌合溝１２１にキャンバス頂部１を臨ませ、その通孔１８１に取付ワイヤ１８３を挿通することで、キャンバス頂部１を抜け止め固定する。
次いで、キャンバス嵌合溝１２１の先後位置に、図４、図５と図６（Ｃ）に示すようにビス１０１を螺合し、頂部引出口から引き出した連結ワイヤ１９３，１９４の係合片１９５，１９６を前記嵌合溝１２１に嵌め込み、その外側にもビス１０２を螺合することで、係合片１９５，１９６が挟み込んだ状態に位置決め固定する。
他方、矩形キャンバスＰ１は、出隅キャンバスＧ１と同様に、布製や合成樹脂製等のテント生地により、その展開形状を横長矩形状の平面形態に形成され、図４（Ｂ）と図５（Ａ）、（Ｂ）に示すように、天地平行なキャンバス頂部５とキャンバス裾部６に袋状の通孔を形成し、先後両端部をキャンバス鉛直部７，８に形成している。
そこで、矩形キャンバスＰ１を巻取りローラＪ１に取り付けるには、そのキャンバス頂部５を巻取りローラＪ１の後半部のキャンバス嵌合溝１１０に臨ませ、その通孔に取付ワイヤ３０２を挿通することで抜け止め固定する。
これにより、１本の巻取りローラＪ１に、出隅キャンバスＧ１の頂部１がスライド自在に取り付けられ、矩形キャンバスＰ１の頂部５が固定される。
（３）フロントバーについて
Ｆ２は出隅キャンバスＧ１の裾部２を取り付けるフロントバーであって、その前板部３４１を弧状面（鉛直面でも可）に成形し、背面部を開口形成している。
図３（Ａ）と図４（Ａ）、（Ｃ）において、３５１，３５２は上向きに開口した上部嵌合溝と、下向きに開口した下部嵌合溝であって、フロントバーＦ２の前面上下位置から後方へ張り出した上板部３４２と下板部３４３の長手方向へ形成している。３４４，３４５は上板部３４２の中間付近と後端付近に穿設した通孔である。
Ｒ２は矩形キャンバスＰ１の裾部６を取り付けると共に、出隅キャンバスＧ１のフロントバーＦ２をスライド案内するフロントバーであって、その前板部３６１を前記フロントバーＦ２とほぼ同様な弧状面（鉛直面でも可）に成形し、当該フロントバーＲ２にフロントバーＦ２が嵌挿支持されるように形成している。
３７１，３７２はフロントバーＲ２の上板部３６２と下板部３６３に形成した上部案内溝と下部案内溝であって、その内、上部案内溝３７１にはフロントバーＦ２の上部嵌合溝３５１の突条部が、また、下部案内溝３７２には前記下部嵌合溝３５２の突条部がそれぞれ嵌め込まれる。３８１，３８２は上向きに開口した上部嵌合溝と、下向きに開口した下部嵌合溝であって、前記フロントバーＲ２の上板部３６２と下板部３６３の後半部に形成した段付き部分に長手方向へ形成している。３６４，３６５はフロントバーＲ２の上下板部３６２，３６３の背面部に形成した鍔部であって、フロントバーＲ２の先後両端部寄りの背面位置にアーム取付板２６４を嵌挿支持する。
そこで、矩形キャンバスＰ１の裾部６を、図３（Ａ）や図４（Ａ）〜（Ｃ）に示すようにフロントバーＲ２の上部嵌合溝３８１に臨ませ、取付ワイヤ３０３を挿通して抜け止め固定する。また、出隅キャンバスＧ１の裾部２を、フロントバーＦ２の上部嵌合溝３５１に臨ませ、その通孔１８２に取付ワイヤ１８４を挿通することで、キャンバス裾部２を抜け止め固定する。
次いで、底部引出口から引き出した連結ワイヤ１９３，１９４の末端部を、図４（Ｃ）や図５（Ａ）、（Ｂ）に示す通孔３４４，３４５に挿通し、出隅キャンバスＧ１を適度な緊張状態に張り渡し、止め具１９７，１９８をビス固定する。
これにより、出隅キャンバスＧ１の裾部３がフロントバーＦ２に、矩形キャンバスＰ１の裾部６がフロントバーＲ２にそれぞれ取り付けられる。
図３（Ａ）と図７（Ａ）において、２２１はフロントバーＦ２に垂下形成したフロントスカートであって、そのスカート頂部に形成した通孔２２２を、フロントバーＦ２の下部嵌合溝３５２に臨ませ、取付ワイヤ１８５を挿通することで抜け止め固定する。
３９１はフロントバーＲ２に垂下形成したフロントスカートであって、そのスカート頂部を下部嵌合溝３８２に臨ませ、取付ワイヤ３９２を挿通して抜け止め固定する。
尚、２４１はフロントバーＦ２の中間後部寄りの底部位置に突出形成した掛止部（掛止孔でも可）であって、当該掛止部２４１に操作ロッド（図示せず）の先端部を係止した上で、展開した出隅キャンバスＧ１を横行操作するに便宜としている。
（４）折畳みアームについて
Ｖ１，Ｖ２はフロントバーＲ２の先後両側位置を支持する２体で一対の二つ折れ自在な横Ｖ字状の折畳みアーム（以下、Ｖ字アームという）であって、後部リンク２５１と前部リンク２５２を内側に向けて二つ折れ自在に連結し、その二つ折れ連結部には、ばねや引張ワイヤ（図示せず）等が組み込まれ、当該Ｖ字アームＶ１，Ｖ２を拡開方向へ押圧付勢している。
２６１はＶ字アームＶ１，Ｖ２の基端部、即ち、後部リンク２５１の基端部をピン枢支するブラケットであって、前記ケーシングＫ１の底部位置の外壁Ｗ１，Ｗ２などに取り付けられ、一方のＶ字アームＶ１のブラケット２６１を、巻取りローラＪ１の先端部で出隅部Ｎ１のコーナー寄り位置に、また、他方のＶ字アームＶ２のブラケット２６１を巻取りローラＪ１の後部付近にそれぞれ間隔を隔てて取り付けている。
２６２はＶ字アームＶ１，Ｖ２の前端部、即ち、前部リンク２５２の前端部をピン枢支するブラケットであって、図４（Ｃ）に示すように、ブラケット２６２の前端部をフロントバーＲ２の背面部に押し当て、フロントバーＲ２の背面位置に嵌め込んだアーム取付板２６４に螺合したビス２６５により、ブラケット２６２をフロントバーＲ２に固定する。
（５）巻取りローラの電動構造について
前記した巻取りローラＪ１の場合は、手動により回転操作されるが、図９（Ａ）、（Ｂ）に示す第２例の巻取りローラＪ２の場合は、ローラ本体１１に内蔵した円柱状の電動モータＭ１により正逆回転する。
同図において、電動モータＭ１はローラ本体１１の後方部に挿通され、その先端部にモータ出力軸２７１を、後端部に固定用軸部２７２をそれぞれ突設している。
２８１はローラ本体１１に嵌合する切り欠き部２８３を備えた伝動ソケットであって、その軸孔２８２にモータ出力軸２７１が嵌め込まれる。１５５はエンドキャップ１５２の貫通孔であって、当該貫通孔１５５に電動モータＭ１の後部位置を軸受支持する。
そこで、モータ出力軸２７１に伝動ソケット２８１を嵌合固定した上で、電動モータＭ１をローラ本体１１の後方部に挿通し、他方、電動モータＭ１の本体後部にエンドキャップ１５２を挿通した上で、ローラ本体１１の後端部に嵌め込み、電動モータＭ１の後端軸部２７２をエンドキャップ１４２の軸受部１４５の扁平孔（角孔でも可）に嵌合固定する。
これにより、ローラ本体１１の内部に電動モータＭ１が組み込まれる。
従って、電動モータＭ１を駆動すると、その出力軸２７１と伝動ソケット２８１とローラ本体１１が一体的に正逆回転し、出隅キャンバスＧ１と矩形キャンバスＰ１の巻き取り、巻き戻し作業を自動化、省力化する。
出隅キャンバスと矩形キャンバスの巻き取り収納過程について
そこで、図１０（Ａ）と図１１（Ａ）に示すように、コーナー空間部へ張り出した出隅キャンバスＧ１と、前方へ展開した矩形キャンバスＰ１を巻き取り収納するに、先ず、フロントバーＦ２の掛止部２４１に、下方から操作ロッド（図示せず）の先端フック部を引っ掛けた上で後方へスライド操作する。その際、掛止部２４１が下方から手の届く程度の高さにある場合には、当該掛止部２４１を把持した上で、後方へ向かって引っ張り操作する。
すると、出隅キャンバスＧ１は、その展開状態を保持したまま後方へ引き下げられ、その際、キャンバス裾部２のフロントバーＦ２が矩形キャンバスＰ１のフロントバーＲ２に沿って後退し、それに追随してキャンバス頂部１のスライダー１２も、スライド案内通路１１２に沿って後退する。
それにより、出隅キャンバスＧ１は、図１０（Ｂ）や図１１（Ｂ）に示すように装置後方部へ平行に横行スライドすることで、矩形キャンバスＰ１の上側に重ね合わされる。
当然のことながら、キャンバス頂部１のスライダー１２は、ローラ本体１１の後半部まで後退するか、或いは、少なくとも、三角形状のキャンバス張出部Ｘ２が、側面壁Ｗ２を結ぶ線上の出隅部Ｎ１から食み出さない程度の後方位置まで引き下げられる。
次いで、図６に示す第１例の巻取りローラＪ１の場合には、手動装置のフック１６４に操作ロッド（図示せず）を係合して回転操作する。また、図９に示す第２例の巻取りローラＪ２の場合には、電動モータＭ１を巻き上げ駆動する。
すると、出隅キャンバスＧ１と矩形キャンバスＰ１は、それぞれのキャンバス頂部１，５の表面を内側にし、裏面を外側にして下側から巻取りローラＪ１、Ｊ２に重ね合わされて巻き付けられ、図１０（Ｃ）、（Ｄ）や図１１（Ｃ）、（Ｄ）に示すようにして巻き上げられる。
その際、Ｖ字アームＶ１，Ｖ２は、その二つ折れ連結部に組み込んだばね等による拡開付勢力に抗して折り畳まれ、フロントバーＲ２とそれに嵌挿したフロントバーＦ２を、壁際部分へ向けて直線的に平行移動しながらコンパクトに折り畳み収納する。
前記の場合、連結ワイヤ１９３，１９４は、フロントバーＦ２とスライダー１２との間を交差連結し、出隅キャンバスＧ１を緊張状態に展開支持している。その為、展開した出隅キャンバスＧ１を横行操作する際に、そのキャンバス本体部Ｘ１を歪ませたり、面内変形を引き起こすことが防止され、出隅キャンバスＧ１の円滑な進退移動を確保する。
出隅キャンバスと矩形キャンバスの巻き戻し展開過程について
次に、巻取りローラＪ１、Ｊ２に巻き取られた出隅キャンバスＧ１と矩形キャンバスＰ１を、建物の前方へ向けて展開する場合には、手動装置のフック１６４に係止した操作ロッドを、前記とは逆方向へ回転操作するか、或いは、電動モータＭ１を巻き戻し方向へ回転駆動する。
すると、巻取りローラＪ１、Ｊ２に巻き上げられた出隅キャンバスＧ１と矩形キャンバスＰ１が巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、図１０（Ｄ）〜（Ｂ）や図１１（Ｄ）〜（Ｂ）に示すように、フロントバーＦ２を嵌挿したフロントバーＲ２を、平行移動しながら前方へ向けて直線的に押し出す。
これにより、出隅キャンバスＧ１と矩形キャンバスＰ１は、正面壁Ｗ１の前方へ巻き戻されて緊張状態に展開支持される。
次いで、フロントバーＦ２の掛止部２４１に、下方から操作ロッド（図示せず）の先端フック部を引っ掛けた上で、コーナー空間部へ向けてスライド操作するか、或いは、掛止部２４１が手の届く程度の高さにある場合には、当該掛止部２４１を把持した上で前方へ向けて押し出し操作する。
すると、出隅キャンバスＧ１は、その展開状態を保持したまま平行移動してコーナー空間部へ押し出される。その際、キャンバス裾部２のフロントバーＦ２はフロントバーＲ２に沿って、また、キャンバス頂部１のスライダー１２は、スリット１１１とスライド案内通路１１２に沿って横行スライドする。
それにより、出隅キャンバスＧ１は、図１０（Ｂ）〜（Ａ）や図１１（Ｂ）〜（Ａ）に示すようにが平行に前進移動し、そのキャンバス張出部Ｘ２がコーナー空間部へ向けて張り出される。
従って、斯様な複合装置ＳＱＩＩ１の２組を、図１（Ａ）、（Ｂ）に示すように、出隅部Ｎ１の正面壁Ｗ１のコーナー位置と、側面壁Ｗ２のコーナー位置に直角（鈍角状や鋭角状でも可）に突き合わせて取り付け、その一方と他方をそれぞれ独立別個に展開作動したり、連動させて展開作動することにより、出隅部Ｎ１のコーナー空間部を含む建物外回りが体裁良く覆われる。
出隅キャンバスの均等巻き付けについて
ところで、出隅キャンバスＧ１と矩形キャンバスＰ１を巻取りローラＪ１，Ｊ２に巻き取る際には、ローラ後半部にキャンバス本体部Ｘ１と矩形キャンバスＰ１が重ね合わされて巻き取られ、ローラ前半部には、巻き取り幅を徐々に長くする出隅キャンバスＧ１のキャンバス張出部２が、ロール状に巻き上げられる。
その為、キャンバス張出部Ｘ２の側が巻き付ける際には、型崩れを引き起こして巻き上げられ、それが原因で出隅キャンバスＧ１の引き出し時には、展開したキャンバス張出部Ｘ２の側に巻き取り皺が目立つことが想定され、体裁性を損なう事態ともなる。
そこで、そのような弊害を防止する手段を次に説明する。
嵩上げリングについて
図１２（Ａ）、（Ｂ）において、３３１はローラ本体１１のほぼ前半部位の外周面に螺旋状に巻き付けるか、嵌め込んだ嵩上げリングであって、キャンバス生地の厚さを考慮した上で、巻取りローラＪ１，Ｊ２の中間付近からローラ先端部へ向かうに連れて、ローラ外径を段階的に増しながら螺旋状に形成している。
勿論、展開した出隅キャンバスＧ１の横行スライドを確保するため、スライド嵌合溝１１１と同一線上の嵩上げリング３３１の一部を、Ｖ字状の切り欠き開口部３３２に形成している。
従って、巻取りローラＪ１，Ｊ２の前半部位に嵩上げリング３３１を段階的に取り付けることにより、キャンバス頂部１に比して裾拡がりのキャンバス裾部２が、図１３（Ａ）〜（Ｃ）に示すようにバランス良く均等に巻き上げられる。
前記の場合には、螺旋状の嵩上げリング３３を、巻取りローラＪ１，Ｊ２の前半部位に段階的に巻き付けるか、嵌め込んだが、次善の策として、ローラ中間付近からローラ先端部にかけて、筒表面の外径を連続的に徐々に大きくする嵩上げパイプ（図示せず）を嵌め込むこともできる。
嵩上げ生地について
図２９（Ａ）〜（Ｃ）において、３２はキャンバス斜部３寄りの表面側に縁取り固定した嵩上げシートであって、その膜厚を出隅キャンバスＧ１の頂部１から裾部２にかけて連続的に徐々に厚く形成している。
このような嵩上げシート３２を備えたキャンバス張出部Ｘ２が、同一径の巻取りローラＪ１，Ｊ２の外周部にロール状に巻き付られると、前記シート３２の部分が一種のスペーサー機能を発揮し、図２１（Ｃ）に示すように螺旋状に嵩上げされて巻き付けられる。
尚、前記の場合、嵩上げシート３２の膜厚を徐々に厚く形成したが、一巻き毎や二巻き毎に、段階的に厚みを増すこともできる。
【実施例２】  第２実施例の複合装置ＳＱＩＩ２を示す図１４（Ａ）〜（Ｄ）と図１５（Ａ）〜（Ｄ）において、３９１は同調ベルトであって、その基端部をローラ本体１１の先端部に取り付け、ベルト前端部をフロントバーＲ２の先端部に取り付けている。
従って、図１４（Ｂ）や図１５（Ｂ）に示すように、装置後半部位に移動した出隅キャンバスＧ１と矩形キャンバスＰ１を重ね合わせて巻き上げたり、巻き戻され、また、装置先端部では同調ベルト３９１が同調して巻き取られたり、巻き戻される
このベルト巻取り装置が、出隅キャンバスＧ１と矩形キャンバスＰ１の巻き取り時と巻き戻し時に同調することにより、特に、装置後方部に対して装置先端部が不均衡となることを防止し、両フロントバーＲ２、Ｆ２の前後方向への平行移動が、バランス良く円滑且つ確実に行われる。
この場合にも、ローラ本体１１の先端部を除く前半部には、図１６（Ａ）、（Ｃ）に示すように、第１実施例と同様な嵩上げリング３３１が形成され、また、ローラ本体１１の先端部に、図１７（Ａ）〜（Ｃ）のように同調ベルト３９１が巻き上げられる。
その他の構成は、第１実施例と同様であるので、同一の図面符号を付してその説明を省略する。
【実施例３】  前記した第１・第２実施例の場合は、コーナー空間部へ張り出した出隅キャンバスＧ１の後端部と、矩形キャンバスＰ１の先端部の上下重なり代が比較的短い場合、即ち、矩形キャンバスＰ１の長さを短尺タイプとしている。
これに対し、図１８（Ａ）〜（Ｄ）と図１９（Ａ）〜（Ｄ）に示す第３実施例の複合装置ＳＱＩＩ３は、巻取りローラＪ１，Ｊ２の全長に亘って長尺の矩形キャンバスＰ２を取り付けた場合で、コーナー空間部へ張り出した出隅キャンバスＧ１の本体部と、矩形キャンバスＰ１との上下の重なり代を必要以上に長く重複させた長尺タイプとしている。
図中、Ｑ２は長尺の矩形キャンバスＰ２による矩形オーニング装置である。
これにより、前記した第２実施例に示すベルト巻取り装置を不要とし、しかも、出隅キャンバスＧ１と矩形キャンバスＰ２を重ね合わせてバランス良く巻き上げたり、巻き戻すことができ、また、雨水の浸入を防止する雨仕舞効果に優れる点を、その長所とする。
その他の構成は、第１実施例の場合と同様である。
【実施例４】  図２０（Ａ）〜（Ｄ）と図２１（Ａ）〜（Ｄ）に示す第４実施例の複合装置ＳＱＩＩ４は、前記した第３実施例の複合装置ＳＱＩＩ３における直角台形状の展開形態を呈する出隅キャンバスＧ１を、ほぼ三角形状の展開形態を呈する出隅キャンバスＧ２（以下、三角キャンバスともいう）に置換した場合である。
図２２（Ａ）において、５３１，５３２は三角キャンバスＧ２の斜部３ａ，３ｂに袋状に形成した通孔であって、その内部に連結ワイヤ５４１，５４２が挿通され、ワイヤ先端部の係合片５４３，５４４を、比較的長さの短いスライダー１２ａの嵌合溝１２１に嵌め込み、止着ネジ１０１，１０２により挟み付けて固定している。ワイヤ５４１，５４２の前端部は、三角キャンバスＧ２の裾部２ａを取り付けるフロントバーＦ２の先後両端位置に取り付ける。尚、Ｓ２は三角キャンバスＧ２による出隅用オーニング装置である。
そこで、三角キャンバスＧ２を図２０（Ｂ）、図２１（Ｂ）に示すように、巻取りローラＪ１，Ｊ２のローラ本体１１の中間付近まで後退移動した上で、当該三角キャンバスＧ２と矩形キャンバスＰ２が、図２０（Ｃ）（Ｄ）、図２１（Ｃ）（Ｄ）に示すように、１本の巻取りローラＪ１，Ｊ２に重ね合わせて巻き上げられる。
この場合は、キャンバス斜部３ａ、３ｂに挿通した連結ワイヤ５４１，５４２により、展開した三角キャンバスＧ２が緊張支持されるので、キャンバス巻き取り時や横行スライド時における面内変形を効果的に防止する。
しかし、この場合は、図１２（Ａ）や図１６（Ａ）に示す螺旋状の嵩上げリング３３１や図２９（Ａ）に示す嵩上げ生地３２を付加するメリットは希薄である。
【実施例５】  図２３（Ａ）〜（Ｄ）と図２４（Ａ）〜（Ｄ）に示す第５実施例の複合装置ＳＱＩＩ５は、前記した第１実施例の複合装置ＳＱＩＩ１におけるＶ字アームＶ１，Ｖ２を、平面視して逆ｙ字状で拡開自在に付勢支持した先後対称の折畳みアーム（以下、Ｙ字アームＹ１，Ｙ２という）に置換した場合である。
このＹ字アームＹ１，Ｙ２は、長尺な主リンク２９１と、その中間部付近に後端部をピン枢支し、前記主リンク２９１の半分程度の長さとする副リンク２９２とからなる。
副リンク２９２の前端部は、フロントバーＲ２の先後両端部に固定したブラケット２６２に取り付けられ、また、主リンク２９１の前端部にピン枢支したブラケット２６３は、フロントバーＲ２に沿って摺動自在に取り付けるか、転動自在に取り付ける。
そして、主リンク２９１の基端部の枢軸部分には、適度な弾性を有するばね（図示せず）が組み込まれ、その弾性力により主リンク２９１が拡開方向へ揺動するように付勢している。また、主リンク２９１のリンク中間部と副リンク２９２との二つ折れ連結部には、ばねや引張ワイヤ（図示せず）等が組み込まれ、当該連結部を拡開方向へ押圧付勢している。そこで、図２３（Ｂ）と図２４（Ｂ）に示すように、装置後半部へ後退移動した出隅キャンバスＧ１と矩形キャンバスＰ１を重ね合わせて巻き上げると、図２３（Ｂ）〜（Ｄ）と図２４（Ｂ）〜（Ｄ）に示すように、Ｙ字アームＹ１，Ｙ２の内、主リンク２９１のリンク後半部と副リンク２９２とからなるリンク部分が、その二つ折れ連結部に組み込んだばね等による拡開付勢力に抗して二つ折りされ、また、主リンク２９１の前端部がフロントバーＲ２にスライド案内されて折り畳まれる。
これにより、出隅キャンバスＧ１と矩形キャンバスＰ１が巻取りローラＪ１，Ｊ２に重ね合わせて巻き上げられ、装置全体を壁際部分へコンパクトに折り畳み収納する。
従って、折畳みアームを、Ｙ字アームＹ１，Ｙ２とした場合には、第１実施例に示すＶ字アームＶ１，Ｖ２の場合に比して、展開した出隅キャンバスＧ１の横行移動が円滑、確実になされ、また、フロントバーＦ２を嵌挿したフロントバーＲ２の前後方向への平行移動性が向上する。
【実施例６】  図２５（Ａ）〜（Ｄ）と図２６（Ａ）〜（Ｄ）に示す第６実施例の複合装置ＳＱＩＩ６は、第２実施例の複合装置ＳＱＩＩ２におけるＶ字アームＶ１，Ｖ２を、Ｙ字アームＹ１，Ｙ２に置換した場合、或いは、第５実施例の複合装置ＳＱＩＩ５におけるローラ本体１１の先端部とフロントバーＲ２の先端部との間に同調ベルト３９１を掛け渡した場合である。
従って、図２５（Ｂ）や図２６（Ｂ）に示すように、装置後半部位に移動した出隅キャンバスＧ１と矩形キャンバスＰ１を重ね合わせて巻き上げたり、巻き戻され、装置先端部では同調ベルト３９１が同調して巻き取られたり、巻き戻される。特に、装置後方部に対して装置先端部が不均衡となることを防止し、両フロントバーＲ２、Ｆ２の前後方向への平行移動が、バランス良く円滑且つ確実に行われる。
更には、展開した出隅キャンバスＧ１の横行移動が円滑、確実になされ、また、フロントバーＦ２を嵌挿したフロントバーＲ２の前後方向への平行移動性が向上する。
その他の構成は、第２実施例や第５実施例と同様である。
【実施例７】  図２７（Ａ）〜（Ｄ）と図２８（Ａ）〜（Ｄ）に示す第７実施例の複合装置ＳＱＩＩ７は、第３実施例の複合装置ＳＱＩＩ３におけるＶ字アームＶ１，Ｖ２を、Ｙ字アームＹ１，Ｙ２に置換した場合、或いは、第５実施例の複合装置ＳＱＩＩ５における短尺の矩形キャンバスＰ１に代えて長尺の矩形キャンバスＰ２を採用した場合である。
その為、前記した第６実施例に示すベルト巻取り装置を不要とし、また、出隅キャンバスＧ１と矩形キャンバスＰ２を重ね合わせてバランス良く巻き上げたり、巻き戻すことができ、且つ、雨仕舞効果に優れる点などを、その長所とする。
尚、第５〜第７実施例に示す複合装置ＳＱＩＩ５〜７では、先後両端部の折畳みアームをすべてＹ字アームＹ１，Ｙ２としたが、第１〜第４実施例に示す複合装置ＳＱＩＩ１〜４に示すＶ字アームＶ１，Ｖ２との折衷案として、フロントバーＲ２の先端部をＹ字アームＹ１で支持し、その後端部をＶ字アームＶ２で支持することもできる。
また、第５〜第７実施例の場合には、図１２（Ａ）や図１６（Ａ）に示す嵩上げリング３３１を備えた巻取りローラＪ１，Ｊ２を組み込むことが望ましい。
連動構造について
前記の場合には、複合装置ＳＱＩＩ１〜７の巻取りローラＪ１，Ｊ２を手動回転したり、電動回転する場合について説明したが、複合装置ＳＱＩＩ１〜７の２体を図１（Ａ）、（Ｂ）に示すように、出隅部Ｎ１の一方と他方に向かい合わせ、更に、図３０（Ａ）、（Ｂ）に示すように突き合わせ、そのコーナーキャップ１４５内部の装置先端部を、図３０（Ａ）に示す斜歯歯車５２（傘歯車でも可）による噛み合い構造としたり、或いは、図３０（Ｂ）に示すウォーム１６２とウォーム歯車１６１による噛み合い構造とすることで、出隅キャンバスＧ１，Ｇ２と矩形キャンバスＰ１，Ｐ２の巻き取り、巻き戻し作業を連動させることもできる。それにより、一方の電動装置を不要としたり、手動装置を簡素化する。
第２グループの複合装置について
このグループの複合装置ＳＵＩＩ１・２は、一方が出隅部Ｎ１で、他方を入隅部Ｌとする直線区間に適用するもので、図３１〜図３５に示すように、第１タイプの複合装置ＳＱＩＩ１〜７における矩形キャンバスＰ１，Ｐ２に代えて、入隅部Ｌのコーナー空間部を覆うほぼ直角逆台形状の展開形態を呈する長短のコーナーキャンバスＰ３，Ｐ４（以下、入隅キャンバスという）が組み合わされる。
要するに、出隅用オーニング装置Ｓ１，Ｓ２と、長短いずれかの入隅キャンバスＰ３、Ｐ４のオーニング装置Ｕ１，Ｕ２（以下、入隅用オーニング装置という）を組み合わせ、更に、入隅キャンバスＰ３，Ｐ４のフロントバーＲ２に出隅キャンバスＧ１，Ｇ２のフロントバーＦ２をスライド自在に嵌挿支持し、当該両フロントバーＦ２，Ｒ２をＶ字アームＶ１，Ｖ２により前方へ直線的に平行移動自在に構成する。
【実施例１】  図３１（Ａ）〜（Ｃ）と図３３に示す第１実施例の複合装置ＳＵＩＩ１は、第１グループの複合装置ＳＱＩＩ１における矩形キャンバスＰ１を、入隅キャンバスＰ３に置換した場合であって、装置先端部の出隅部Ｎ１から装置後端部の入隅部Ｌまでの長さを備えた巻取りローラＪ１，Ｊ２の後半部のキャンバス嵌合溝１１０に、入隅キャンバスＰ３の頂部５ａを取り付けている。
入隅キャンバスＰ３は、その展開形状をほぼ直角逆台形状の平面形態に形成され、その外形形状を、図３１（Ｃ）に示すように、キャンバス裾部６に比して長さの長いキャンバス頂部５ａを天地平行に形成し、キャンバス裾部６の後端部からキャンバス頂部５ａの後端部にかけて斜め４５度程度のキャンバス斜部９に、また、キャンバス頂部５ａとキャンバス裾部６の先端部をキャンバス鉛直部７にそれぞれ形成している。
そこで、図３２（Ａ）と図３３（Ａ）に示すように、出隅部Ｎ１のコーナー空間部へ張り出した出隅キャンバスＧ１と、入隅部Ｌのコーナー空間部を含む正面壁Ｗ１の前方へ展開した入隅キャンバスＰ３を巻き取り収納するには、張り出した出隅キャンバスＧ１を、その展開状態を保持したまま、図３２（Ｂ）と図３３（Ｂ）に示すように装置後方へスライド操作し、キャンバス張出部Ｘ２の突出端部が、出隅部Ｎ１から食み出さない程度の後方位置まで引き下げる。
次いで、出隅キャンバスＧ１と、入隅キャンバスＰ３を重ね合わせて巻き上げ駆動すると、出隅キャンバスＧ１と入隅キャンバスＰ３は、図３２（Ｂ）〜（Ｄ）、図３３（Ｂ）〜（Ｄ）に示すように、１本の巻取りローラＪ１，Ｊ２に巻き上げられ、同時に、Ｖ字アームＶ１，Ｖ２を二つ折れしながら、フロントバーＲ２とそれに嵌挿したフロントバーＦ２を、壁際部分へ向けて直線的に平行移動する。
それにより、装置全体が出隅部Ｎ１と入隅部Ｌの間の壁際部分に、図３２（Ｄ）、図３３（Ｄ）に示すようにコンパクトに壁面収納される。
【実施例２】  図３４（Ａ）〜（Ｄ）と図３５（Ａ）〜（Ｄ）に示す第２実施例の複合装置ＳＵＩＩ２は、前記した第１グループの複合装置ＳＱＩＩ３と同様に、巻取りローラＪ１，Ｊ２のほぼ全長に亘って長尺の入隅キャンバスＰ４を取り付けた場合で、出隅部Ｎ１のコーナー空間部へ張り出した出隅キャンバスＧ１の本体部と、入隅部Ｌのコーナー空間部に前方展開した入隅キャンバスＰ４の横長矩形状の本体部との重なり代を、必要以上に長く重複させた長尺タイプとしている。そして、入隅キャンバスＰ４の裾部を、フロントバーＲ２の長さ全体に取り付けている。図中、Ｕ２は長尺の入隅キャンバスＰ４の入隅オーニング装置である。その他の構成は、前記した第１実施例と同じである。
尚、第２グループの複合装置ＳＵＩＩ１・２は、前記した第１・第２実施例の場合に止まらず、第１グループの複合装置ＳＱＩＩ２〜７における矩形キャンバスＰ１，Ｐ２を、直角逆台形状の入隅キャンバスＰ３，Ｐ４に置換し、また、折畳みアームをＹ字アームＹ１，Ｙ２に置換したり、或いは、Ｙ字アームＹ１とＶ字アームＶ２の組み合わせとする等、第１グループの場合と同様に多数の実施形態が成立する。
第３グループの複合装置について
このグループの複合装置ＳＱＳＩＶは、図３６（Ａ）、（Ｂ）に示すように、一方の出隅部Ｎ１のコーナー空間部を覆う出隅用オーニング装置Ｓ１と、当該オーニング装置Ｓ１と先後対称で、他方の出隅部Ｎ２のコーナー空間部を覆う出隅用オーニング装置Ｓ１１と、両オーニング装置Ｓ１，Ｓ１１の間の建物外回りを覆う矩形オーニング装置Ｑ１を複合一体化している。
即ち、一方と他方の出隅部Ｎ１，Ｎ２を結ぶ正面壁Ｗ１の直線区間に、長尺なケーシングＫ１を取り付け、その内部に長尺な１本の巻取りローラＪ１，Ｊ２を軸受支持する。
次いで、巻取りローラＪ１，Ｊ２とほぼ同じ程度の長尺のフロントバーＲ２の前半部と後半部に、２体で１組のＶ字アームＶ１〜Ｖ４の前端部を先後対称位置に間隔を隔てて取り付け、当該Ｖ字アームＶ１〜Ｖ４の後端部をケーシングＫ１の前半部と後半部に間隔を隔てて取り付ける。
そして、巻取りローラＪ１，Ｊ２の中間区間のキャンバス嵌合溝１１０に矩形キャンバスＰ１の頂部５を取り付け、そのキャンバス裾部６をフロントバーＲ２の中間区間のキャンバス嵌合溝３８１に取り付ける。これにて、中間区間に矩形オーニング装置Ｑ１が形成される。
また、巻取りローラＪ１，Ｊ２のスライド案内通路１１２の前半部と後半部に、２体のスライダー１２を嵌挿し、それぞれのスライダー１２のキャンバス嵌合溝１２１に出隅キャンバスＧ１，Ｇ１１の頂部１を先後対称に取り付け、且つ、それぞれのキャンバス裾部２をフロントバーＲ２の前半部と後半部に嵌挿したフロントバーＦ２のキャンバス嵌合溝３５１に取り付ける。これにより、装置前半部と後半部に出隅用オーニング装置Ｓ１，Ｓ１１が対称的に形成される。
そこで、図３６（Ａ）と図３７（Ａ）に示すように、一方と他方の出隅部Ｎ１，Ｎ２のコーナー空間部へ張り出した出隅キャンバスＧ１，Ｇ１１の２体と、正面壁Ｗ１の前方へ展開した矩形キャンバスＰ１を巻き取り収納するには、図３７（Ａ）〜（Ｂ）に示すように、一方の出隅部Ｎ１側の出隅キャンバスＧ１を、装置中央付近へ向けてスライド操作し、また、他方の出隅部Ｎ２側の出隅キャンバスＧ１１を、装置中央付近へ向けてスライド操作する。これにより、先後２体の出隅キャンバスＧ１，Ｇ１１が出隅部Ｎ１，Ｎ２から引き下げられ、矩形キャンバスＰ１の前半部と後半部に重ね合わされる。
そこで、出隅キャンバスＧ１，Ｇ１１の２体と矩形キャンバスＰ１を同期させて巻き上げ駆動すると、前記３枚のキャンバスＧ１，Ｇ１１、Ｐ１は、図３７（Ｃ）、（Ｄ）に示すように、１本の巻取りローラＪ１，Ｊ２に重ね合わせて巻き上げられ、同時に、Ｖ字アームＶ１〜Ｖ４を二つ折れしながら、フロントバーＲ２とそれに嵌挿したフロントバーＦ２を、壁際部分へ向けて直線的に平行移動する。
それにより、装置全体が出隅部Ｎ１，Ｎ２の間の壁際部分に、図３７（Ｄ）に示すようにコンパクトに壁面収納される。
尚、前記の場合、２体の出隅キャンバスＧ１，Ｇ１１を、図２０〜図２２に示す三角キャンバスＧ２に置換してなる出隅用オーニング装置Ｓ２とすることもできる。その場合には、長尺の巻取りローラＪ１，Ｊ２と長尺のフロントバーＲ２に、長尺の矩形キャンバスＰ２を取り付けることになる。
また、折畳みアームを、Ｖ字アームＶ１〜Ｖ４に代えてＹ字アームＹ１〜Ｙ４にしたり、或いは、装置の先後両端部をＹ字アームＹ１，Ｙ４とし、内側位置をＶ字アームＶ２，Ｖ３とすることもできる。
その場合には、Ｖ字アームＶ１〜Ｖ４の場合に比して、展開した出隅キャンバスＧ１の横行移動が円滑、確実になされ、また、フロントバーＲ２の平行移動性が向上する。
第４グループの複合装置について
このグループの複合装置ＳＳＩＩは、図３８〜図４４に示すように、一方の出隅部Ｎ１と他方の出隅部Ｎ１の距離が、第３グループの複合装置ＳＱＳＩＶの場合に比して短い場合を想定しており、２体の出隅用オーニング装置Ｓ１，Ｓ１１を先後対称で背中合わせにし、且つ、上下に若干齟齬することで複合一体化している。
その為、ケーシングＫ１に軸受支持される第３例の巻取りローラＪ３は、図３９（Ａ）と図４０と図４２に示すように、ローラ本体１１ｂの表面軸線方向に２条のスリット１１１が間隔を隔てて平行に形成され、その内側部にスライド案内通路１１２が押出し成型されている。この２列のスライド案内通路１１２には、それぞれスライダー１２，１２ｗが嵌め込まれ、当該スライダー１２，１２ｗのキャンバス嵌合溝１２１には、それぞれの出隅キャンバスＧ１，Ｇ１１の頂部１が取り付けられる。
その他の構成は、図９に示す巻取り装置とほぼ同様であるので、同一の符号を付してその説明を省略する。
Ｒ４は先後２体の出隅キャンバスＧ１のフロントバーＦ２，Ｆ３を相対的にスライド自在に嵌挿支持する横行案内レールであって、その先後両端部に２体のＶ字アームＶ１，Ｖ２の前端部を取り付け、その後端部を壁際部分Ｗ１に取り付けている。
横行案内レールＲ４は、角筒状の断面形態を呈し、その上板部と下板部には、上部案内溝４４１と下部案内溝４４２が長手方向へ形成され、その両案内溝４４１，４４２には、前記したフロントバーＲ２とほぼ同一の断面形態に形成したフロントバーＦ３の上部案内溝３８１と下部案内溝３８２の突条部がスライド自在に嵌め込まれる。
そして、Ｖ字アームＶ１の前端部付近の横行案内レールＲ４の先端部には、フロントバーＦ３と同一の断面形態で、スライドストッパーを兼ねた幅の狭いスペーサー４５を嵌合固定している。
そこで、横行案内レールＲ４に、出隅キャンバスＧ１１のフロントバーＦ３を装置後方部から挿通し、次いで、出隅キャンバスＧ１を装置先端部から前記スペーサー４５とフロントバーＦ３に挿通し、それにより、出隅キャンバスＧ１，Ｇ１１のそれぞれのフロントバーＦ２，Ｆ３が、横行案内レールＲ４に相対的にスライド自在に嵌挿支持される。
図４０（Ｃ）において、３６６，３６７はフロントバーＦ３の上下部の背面位置に張り出した庇部、３６８，３６９は庇部３６７に形成したワイヤ係合孔であって、出隅キャンバスＧ１の裾部２をフロントバーＦ３のキャンバス嵌合溝３８１に取り付け、当該キャンバスＧ１から引き出したワイヤ１９３，１９４の前端部を挿通固定する。
そこで、図４３（Ａ）と図４４（Ａ）に示すように、一方と他方の出隅部Ｎ１，Ｎ２のコーナー空間部へ先後対称に張り出した出隅キャンバスＧ１，Ｇ１１の２体を巻き取り収納するには、出隅部Ｎ１側の出隅キャンバスＧ１を装置後端方へ向けてスライド操作し、出隅部Ｎ２側の出隅キャンバスＧ１１を装置先端方へ向けてスライド操作する。
それにより、先後２体の出隅キャンバスＧ１，Ｇ１１が、出隅部Ｎ１，Ｎ２から相対的に引き下げられ、図４３（Ｂ）と図４４（Ｂ）に示すように上下に重ね合わされる。
そこで、重ね合わされた出隅キャンバスＧ１，Ｇ１１の２体を巻き上げ駆動すると、出隅キャンバスＧ１，Ｇ１１は、図４３（Ｃ）、（Ｄ）に示すように、１本の巻取りローラＪ３に重ね合わせて巻き上げられ、それと同時に、Ｖ字アームＶ１，Ｖ２を折り畳みながら、フロントバーＲ４とそれに嵌挿したフロントバーＦ２，Ｆ３を、壁際部分へ向けて直線的に平行移動する。それにより、装置全体が出隅部Ｎ１，Ｎ２から食み出すことなく、壁際部分へコンパクトに収納される。
前記した複合装置ＳＳＩＩでは、横行案内レールＲ４をＶ字アームＶ１，Ｖ２で支持したが、それをＹ字アームＹ１，Ｙ２に置換することもできる。
出隅キャンバスの横行装置について
ところで、前記した複合装置ＳＱＩＩ１〜７、ＳＵＩＩ１・２、ＳＱＳＩＶ、ＳＳＩＩでは、巻き戻されて前方へ展開した出隅キャンバスＧ１，Ｇ２、Ｇ１１を、フロントバーＦ２，Ｆ３に形成した掛止部２４１に操作ロッド（図示せず）を引っ掛けるか、或いは、それが手の届く高さの場合には、それを把持して横行スライド操作している。
ここでは、それ以外の掛止フラップや伝動ロープによる手動操作装置を、更には、巻取りリールを備えたキャンバス巻取り７装置の実施形態を順次説明する。
掛止フラップについて
図４５（Ａ）〜（Ｃ）に示す複合装置ＳＱＩＩ８において、２４２は出隅キャンバスＧ１の頂部１先端部付近の裏側に形成した掛止フラップであって、その中央付近に掛止孔２４３を設けている。この掛止フラップ２４２は、図８（Ｃ）に２点鎖線で示すようにキャンバス生地を裁断した上で、上方への突出部分を裏側へ折り曲げて縫着形成される。
そこで、前記の掛止孔２４３に操作ロッドを引っ掛けて出隅キャンバスＧ１を横行スライド操作する。
尚、前記の場合、ケーシングＫ１の底板中央部に、操作ロッドを挿通案内するスリット（図示せず）を長手方向に形成するか、或いは、底板部のないケーシングＫ１とする必要がある。無論、前記した掛止孔２４３が、ケーシングＫ１のキャンバス引出口１３１から露出した位置に形成されれば、前記したスリットを設ける必要性はない。
伝動ロープの手動操作装置について
図４６（Ａ）〜（Ｃ）と図４７（Ａ）、（Ｂ）に示す複合装置ＳＱＩＩ９には、伝動ロープ（ワイヤでも可）を装置先端部のＶ字アームＶ１を利用して掛け渡し、伝動ロープを手動操作する場合を示している。
同図において、５５１〜５５３は、Ｖ字アームＶ１の枢支部の上端位置に形成したスライドガイドであって、２本の伝動ロープ５６１，５６２が外れ落ちないように、スライドガイド５５１〜５５３の上端部に形成した環状溝部に臨ませて掛け渡している。
５７１はフロントバーＦ２の先端背面部に形成した突片であって、Ｖ字アームＶ１のブラケット２６２の上部に形成したスライドガイド５５３の後部から、先方へ回曲した一方のロープ５６１の先端部をナット５７３で締め付け固定している。
５７２はフロントバーＦ２の先後中間位置より後方背面部に形成した突片であって、スライドガイド５５３の前方から後方へ回曲した他方のロープ５６２の先端部をナット５７４で締め付け固定している。
伝動ロープ５６１，５６２の壁際側の基端部は、Ｖ字アームＶ１のブラケット２６１の本体部に鉛直に形成した貫通孔から下方へ引き出して垂れ下げている。５６３，５６４は伝動ロープ５６１，５６２の基端部の操作取っ手であって、リング状又は瘤状に形成している。
そこで、図４６（Ａ）に示す複合装置ＳＱＩＩ９に掛け渡した伝動ロープ５６１，５６２の一方、例えば、伝動ロープ５６１の取っ手５６３を引き下げると、フロントバーＦ２の先端部のブラケット５７１が装置後方へ向けて引き寄せられる。それにより、出隅キャンバスＧ１は、図４７（Ａ）〜（Ｂ）に示すようにコーナー空間部からその展開状態を維持したまま後方へ横行スライドし、正面壁Ｗ１の前方位置まで引き下げられる。その際、他方の伝動ロープ５６２の取っ手５６４は、下方から上方へ自然に引き上げられる。
逆に、他方の伝動ロープ５６２の取っ手５６４を下方へ引き下げると、フロントバーＦ２の中間後方部のブラケット５７２が装置先端方へ向けて引き寄せられる。それにより、出隅キャンバスＧ１は、図４７（Ｂ）〜（Ａ）に示すように展開状態を維持したままコーナー空間部へ向けて横行スライドすることで前進し、当該コーナー空間部を含む建物外回りに張り出される。その際、他方の伝動ロープ５６１の取っ手５６３は、下方から上方へ引き上げられる。
従って、一方の伝動ロープ５６１は、出隅キャンバスＧ１の後退用として、他方の伝動ロープ５６２は前進用として機能する。
前記の場合には、２本の伝動ロープ５６１，５６２を掛け渡したが、それを１本のロープで、例えば、操作取っ手５６３、５６４の部分を直結した無端ロープとすることもできる。尚、前記の場合には、伝動ロープ５６１，５６２をＶ字アームＶ１に掛け渡したが、それを複合装置ＳＱＩＩ５〜７に示すＹ字アームＹ１における主リンク２９１の後半部と副リンク２９２にかけて、前記と同様に組み込むこともできる。
巻取りリールを備えたキャンバス巻取り装置について
次に、図４８（Ａ）、（Ｂ）に示す複合装置ＳＱＩＩ１０において、６０はローラ本体１１の先端部に正逆回転自在に嵌め込んだ巻取りリールであって、その中間外周部に形成した環状鍔部を境にして、先後位置の前部リール６０１と後部リール６０２に区画形成している。その内、リール６０１，６０２のいずれか一方に、伝動ワイヤ５６１，５６２のいずれか一方を巻き上げ、他方のリール６０１，６０２に巻き取られた他方の伝動ワイヤ５６１，５６２を巻き戻すことにより、出隅キャンバスＧ１を横行スライドさせて進退移動するようにしている。
そこで、基端部のスライドガイド５５１から引き出した伝動ワイヤ５６１，５６２の内、一方の前進用ワイヤ５６２を、図４８（Ｂ）に示すように、ブラケット２６１のほぼ直上部に位置する後部リール６０２に螺旋状に巻き付け、その後部位置にワイヤ基端部を固定する。そして、他方の後退用ワイヤ５６１の基端部を、前部リール６０１の後部位置に固定する。
５８１，５８２はコイルばねであって、それぞれの伝動ワイヤ５６１，５６２の先端部に取り付けられ、フロントバーＦ２とＶ字アームＶ１と巻取りリール６０にかけて掛け渡した伝動ワイヤ５６１，５６２を緊張状態に付勢支持する。
前記以外の伝動ワイヤ５６１，５６２の掛け渡し構造は、前記した伝動ロープの場合と同様であるので、同一の図面符号を付してその説明を省略する。
次に、前記した巻取りリール６０を組み付けたキャンバス巻取り装置の駆動系として、図４９（Ａ）に示す模式図では、巻取りローラＪ４のローラ本体１１に組み込んだ２体の電動モータＭ１，Ｍ４を個別回転する場合を示しており、一方の電動モータＭ１により出隅キャンバスＧ１と矩形キャンバスＰ１を重ね合わせて巻き取ったり、巻き戻し、他方の電動モータＭ４により巻取りリール６０が正逆回転することで、展開した出隅キャンバスＧ１が横行駆動するようにしている。
また、図４９（Ｂ）に示す模式図の場合には、ローラ本体１１に１体の電動モータＭ５を組み込み、巻取りローラＪ５と巻取りリール６０の内、いずれか一方の動作を外部から拘束することで回転を停止すると、他方の巻取りローラＪ５と巻取りリール６０のいずれかが反動回転するようにしている。
それにより、出隅キャンバスＧ１と矩形キャンバスＰ１の巻き上げと巻き戻し、更には、出隅キャンバスＧ１の横行駆動が、１体の電動モータＭ５により行われる。
そこで、図５０に示す２体の電動モータＭ１，Ｍ４を個別回転する第４例の巻取りローラＪ４と、図５１に示す１体の電動モータＭ５を組み込んだ反動回転タイプの第５例の巻取りローラＪ５を説明する。
更には、図５５（Ａ）、（Ｂ）に示す差動歯車機構を組み込んだ場合と、それらを具体化した図５６に示す１体の電動モータＭ６を備えた第６例の巻取りローラＪ６と、図５７に示す手動駆動装置を組み込んだ第７例の巻取りローラＪ７を説明する。
（１）巻取りローラの第４例について
図５０において、１５６はローラ本体１１の先端部のエンドキャップ、１５７は当該キャップの円形孔、６０３は巻取りリール６０の円形孔、６０４は円形孔６０３の内壁部に形成した突起、５９１は電動モータＭ４の先端軸部、５９２は電動モータＭ４の本体前半部に形成した溝部、１４６は巻取りリール６０のケーシングを兼ねたエンドキャップであって、その底部には伝動ワイヤ５６１，５６２を挿通する案内長孔１４８，１４９が平行に開口している。
そこで、電動モータＭ４の本体後半部をローラ本体１１の先端部に挿通し、電動モータＭ４の本体前半部に巻取りリール６０を嵌め込んで固定した上で、電動モータＭ４の先端軸部５９１を、エンドキャップ１４６の軸受部１４７の扁平孔に嵌め込んで固定している。
それ以外の構成は、図９に示す第２例の巻取りローラＪ２と同様であるので、同一の図面符号を付してその説明を省略する。
そこで、前記のように組み込んだ電動モータＭ４を正逆いずれかの方向、例えば、モータ本体を回転すると、それと一体に巻取りリール６０が回転し、一方のワイヤ、即ち、後退用ワイヤ５６１を前部リール６０１に螺旋状に巻き付けると同時に、後部リール６０２に巻き付けられた他方のワイヤ、即ち、前進用ワイヤ５６２を巻き戻す。
それにより、図５２（Ａ）に示すように、コーナー空間部に張り出した出隅キャンバスＧ１を横行スライドしながら、図５２（Ｂ）に示す位置まで後退移動することで、矩形キャンバスＰ１の上部に重ね合わされる。
それを感知すると、図４９（Ａ）に示す電動モータＭ１が回転し、図５２（Ｂ）〜（Ｄ）に示すように、Ｖ字アームＶ１，Ｖ２の拡開付勢力に抗して当該アームＶ１，Ｖ２を折り畳みながら、出隅キャンバスＧ１と矩形キャンバスＰ１を重ね合わせて巻取りローラＪ４に巻き付けることで、両キャンバスＧ１，Ｐ１の巻き取り収納がなされる。
それとは逆に、電動モータＭ１を逆転駆動し、巻取りローラＪ４に巻き取った両キャンバスＧ１，Ｐ１を巻き戻すべく回転すると、Ｖ字アームＶ１，Ｖ２による拡開付勢力が働くことで、フロントバーＦ２，Ｒ２を平行移動しながら前方へ向けて直線的に押し出し、両キャンバスＧ１，Ｐ１を前方に巻き戻し展開する。
それを感知すると、電動モータＭ４が前記とは逆方向へ回転することで、巻取りリール６０を回転させ、後部リール６０２に前進用ワイヤ５６２を巻き上げると同時に、前部リール６０１に巻き付けられた後退用ワイヤ５６１を巻き戻す。
それにより、出隅キャンバスＧ１がコーナー空間部へ向けて横行スライドして張り出され、出隅部Ｎ１のコーナー空間部を含む建物外回りが、出隅キャンバスＧ１と矩形キャンバスＰ１で覆われる。
（２）巻取りローラの第５例について
図５１において、電動モータＭ５の先端部には支軸５９３が、その後端部にはモータ出力軸５９４を形成している。
そこで、巻取りリール６０の内壁部の形成した突起６０４に、電動モータＭ５の本体前半部に形成した溝部５９２を嵌め込み、電動モータＭ５の本体後半部をローラ本体１１の先端部に挿通し、モータ出力軸５９４をローラ本体１１に嵌め込んだ伝動ソケット２８１の通孔２８２に嵌挿固定する。
また、電動モータＭ５の支軸５９３を、巻取りリール６０のケーシングを兼ねたエンドキャップ１４６の軸受部１４３に自由転自在に支持する。
１３５はケーシングＫ１の背面板部の内壁面に横方向へ突設した案内突起、６１１はばね弾力を備えた帯板状の回転ストッパーであって、その基端部をローラ本体１１の後端部にビス６１２により固定し、そのストッパー先端部を、前記案内突起１３５に係合してローラ本体１１と一体となって移動案内したり、係合解除されてローラ本体１１の外周面に密着して巻き込まれるようにしている。
それ以外の構成は、図９に示す第２例の巻取りローラＪ２や図５０に示す第４例の巻取りローラＪ４と同様であるので、同一の図面符号を付してその説明を省略する。
そこで、前記のように組み込んだ１体の電動モータＭ５による作動過程を、図５３（Ｂ）〜（Ｆ）と図５４（Ｇ）〜（Ｋ）を参照しながら説明するに、図５３（Ａ）には、展開した出隅キャンバスＧ１を、出隅部Ｎ１のコーナー空間部へ張り出した時点におけるキャンバスＧ１，Ｐ１の巻取りローラＪ５とケーシングＫ１の横断平面を示している。
図５３（Ｂ）〜（Ｆ）には、出隅キャンバスＧ１をコーナー空間部に張り出した状態から後退移動し、矩形キャンバスＰ１と重ね合わせた上で、巻取りローラＪ５に巻き取り収納する過程を段階的に示しており、各図の左側から図５３（Ａ）のａ−ａ線、ｂ−ｂ線、ｃ−ｃ線の各断面を示し、その時点における要部斜視図を右側位置に付加している。
また、図５４（Ｇ）〜（Ｋ）には、前記とは逆に、巻取りローラＪ５に巻き取った出隅キャンバスＧ１と矩形キャンバスＰ１を巻き戻して前方へ展開した上で、出隅キャンバスＧ１をコーナー空間部へ向けて前進移動して張り出す過程を段階的に示している。
尚、各図中、グレー矢印は実際の動作を示し、２点鎖線の白抜き矢印は、その時に生ずる反力を示している。
出隅キャンバスの後退スライド過程と、複数キャンバスの巻き取り収納過程について
図５３（Ｂ）の状態は、図４８（Ａ）に示す複合装置ＳＱＩＩ１０における出隅キャンバスＧ１がコーナー空間部に張り出し、フロントバーＦ２が最先端部まで引き出された状態にある。
そこで、この状態から出隅キャンバスＧ１を巻き取り収納するに、先ず、電動モータＭ５を駆動し、図５３（Ｃ）に示すように巻取りローラＪ５が紙上右回り方向（巻取りリール６０が紙上左回り方向）に回転するように、当該ローラＪ５とリール６０との間に相対回転を生じさせる。
このとき、フロントバーＦ２を引っ張る後退用ワイヤ５６２が、巻取りリール６０の紙上左回りの回転に対して加えている負荷は、フロントバーＦ２、Ｒ２の相互間に形成される摩擦抵抗程度であり、極めて小さい。
それに対して、Ｖ字アームＶ１，Ｖ２によって図５３（Ｃ）の紙上右方向へ拡開付勢しているフロントバーＦ１，Ｆ２と、展開した出隅キャンバスＧ１が、巻取りローラＪ５の紙上右回りの回転に加えている負荷は、極めて大きい。
その為、巻取りローラＪ５は回転することなく静止したままで、巻取りリール６０のみが図５３（Ｃ）〜（Ｄ）に示すように紙上左回りに回転することとなる。
そこで、後退用ワイヤ５６１が前部リール６０１に巻き上げられ、後部リール６０２の前進用ワイヤ５６２が巻き戻されることで、出隅キャンバスＧ１のフロントバーＦ２を後方へ引っ張る方向に駆動伝達される。それにより、図５２（Ａ）に示すように、コーナー空間部に張り出した出隅オーニング装置Ｓ１は、図中に付加した各部矢印に示すように動作し、図５２（Ｂ）に示すような所定の後退位置まで横行移動することで、出隅キャンバスＧ１が矩形キャンバスＰ１に重ね合わされる。
この動作は、図５３（Ｄ）に示すように、前部リール６０１への後退用ワイヤ５６１の巻き上げが終了するか、フロントバーＦ２の後退移動が停止した後も作用し、即ち、電動モータＭ５による同一方向への回転を継続するものの、巻取りリール６０は、それ以上左回りに回転することができなくなる。
その結果、図５３（Ｅ）に示すように、巻取りローラＪ５が前記したＶ字アームＶ１，Ｖ２による拡開付勢力、即ち、フロントバーＦ２に加えている負荷に抗しながら紙上右回りに回転し、巻取りローラＪ５への出隅キャンバスＧ１と矩形キャンバスＰ１の巻き上げ動作を開始する。
その巻き上げの初期段階では、図５３（Ｅ）に示すように、巻き付ける出隅キャンバスＧ１によって回転ストッパー６１１がローラ本体１１の後端部に密着状態に巻き込まれた上で、図５３（Ｆ）に示すように、出隅キャンバスＧ１と矩形キャンバスＰ１の巻き上げ作動が行われる。
複数キャンバスの巻き戻し展開過程と、出隅キャンバスの前進スライド過程について
前記のように巻き取り収納した出隅キャンバスＧ１と矩形キャンバスＰ１を展開するには、電動モータＭ５を前記とは逆方向へ回転させ、図５４（Ｇ）に示すように巻取りローラＪ５が紙上左回り（巻取りリール６０が紙上右回り）に回転するように、巻取りローラＪ５と巻取りリール６０との間に相対回転を生じさせる。
その際、巻取りローラＪ５には、Ｖ字アームＶ１，Ｖ２による前方への拡開付勢力が作用し、フロントバーＦ２と出隅キャンバスＧ１の展開力、緊張力により、紙上左回りの回転トルクが作用している。
この時点では、巻取りリール６０の紙上右回りの回転に対し、前進用ワイヤ５６２と後退用ワイヤ５６１の存在は、回転を阻止するための負荷としても作用していないし、回転を促すためのトルクとしても機能しない状態にある。
この状態で、巻取りローラＪ５と巻取りリール６０との間で相対回転を生じさせれば、図５４（Ｇ）、（Ｈ）に示すように巻取りリール６０は静止したままで、巻取りローラＪ５のみが紙上左回りに回転し始め、出隅キャンバスＧ１と矩形キャンバスＰ１が巻き戻され前方への展開作動がなされる。
そして、図５４（Ｈ）に示すように、出隅キャンバスＧ１の前方への展開が終盤に差しかかり、最後の一巻きとなったあたりから、出隅キャンバスＧ１に押さえ込まれていた回転ストッパー６１１が開放されて付勢起立し、その先端部が図５４（Ｉ）の段階でケーシングＫ１の案内突起１３５に係止し、それにより巻取りローラＪ５の左回りの回転を阻止することで、出隅キャンバスＧ１と矩形キャンバスＰ１の展開作動が終了する。
電動モータＭ５はなおも回転を続行する結果、次の瞬間には図５４（Ｊ）に示すように、巻取りリール６０が紙上右回りへの回転を開始する。
すると、前進用ワイヤ５６２が後部リール６０２に巻き付けられ、また、後退用ワイヤ５６１が前部リール６０１から巻き戻され、それによりフロントバーＦ２が前進方向へ横行スライドし、展開した出隅キャンバスＧ１をコーナー空間部へ向けて張り出す。
前記の場合は、第４実施例と第５実施例の巻取りローラＪ４，Ｊ５を、図４８（Ａ）に示す複合装置ＳＱＩＩ１０における駆動装置とした場合の作動過程を説明したが、それ以外の第２〜第４グループの複合装置の駆動装置として採択することもできる。それらの作動過程の説明は、前記の場合と重複することになるため省略する。
第６例の巻取りローラについて
図５５（Ａ）と図５６に示す差動歯車機構を組み込んだ第６例の巻取りローラＪ６を説明するに、７０は電動モータＭ６の本体部の先端寄り位置に形成した外歯歯車（以下、太陽歯車ともいう）であって、当該部位に嵌め込んで嵌着固定するか、モータ本体部に外歯歯車７０を一体形成する。７１は巻取りリール６０ａにおける後部リール６０２の内周面に形成した内歯歯車、７２は内歯歯車７１と太陽歯車７０に噛み合う４体程度の小歯車（以下、遊星歯車ともいう）であって、その支軸７２１をローラ本体１１の先端部に嵌め込んだエンドキャップ１５６に打ち込んでいる。
従って、この巻取りリール６０ａの場合は、前記した巻取りリール６０に形成した突起６０４を不要とし、また、電動モータＭ６の本体部に形成した溝部５９２も不要としている。２８３，２８４は電動モータＭ６の後端部を支持する軸受ソケットとその挿通孔である。
そこで、電動モータＭ６の本体後半部をローラ本体１１の先端部に挿通し、モータ後端部をローラ本体１１に嵌め込んだ軸受ソケット２８３に挿通支持する。
次いで、遊星歯車７２を突設したエンドキャップ１５６を、ローラ本体１１の先端部に嵌め込み、当該遊星歯車７２を太陽歯車７０に噛み合わせる。
そして、電動モータＭ６の先端部に巻取りリール６０ａを嵌め込み、その内歯歯車７１を遊星歯車７２に噛み合わせることにより、差動歯車列が構成される。
また、電動モータＭ６の先端部の固定用支軸５９１を、エンドキャップ１４６の軸受部１４７の扁平孔に嵌合固定している。
それ以外の構成は、図５１に示す第５例の巻取りローラＪ５と同様であるので、同一の図面符号を付してその説明を省略する。
この場合は、前記した第５例の巻取りローラＪ５と同様に、巻取りローラＪ６と巻取りリール６０ａの内、いずれか一方の動作を拘束して回転を停止すると、他方が逆回転する構造としている。
従って、電動モータＭ６を回転駆動した上で、巻取りリール６０ｂの回転を制止すると、巻取りローラＪ６は電動モータＭ６と同方向へ減速回転し、出隅キャンバスＧ１と矩形キャンバスＰ１を巻き取り収納したり、巻き戻して前方へ展開作動する。
また、巻取りローラＪ６の回転を制止すると、巻取りリール６０ｂは同速で逆回転し、展開した出隅キャンバスＧ１をコーナー空間部へ引き出したり、後方へ引き戻すべく作動する。
前記の差動歯車列の場合、巻取りリール６０ｂの回転速度が、巻取りローラＪ６の２倍となる為、小さい負荷のフロントバーＦ２の横行スライド動作が、高速低トルクの回転で作動し、また、負荷の大きいキャンバス巻き取り動作が、低速高トルクの回転で作動することになり、それらの動作が効率的に行われる。
尚、電動モータＭ６の駆動による出隅キャンバスＧ１の後退スライド過程と、巻取りローラＪ６への出隅キャンバスＧ１と矩形キャンバスＰ１の巻き上げ過程は、前記した電動モータＭ５を備えた巻取り装置の同様に、図５３（Ｂ）〜（Ｆ）に示す過程を経て巻き取り収納される。
また、出隅キャンバスＧ１と矩形キャンバスＰ１の巻き戻し展開過程と、出隅キャンバスＧ１の前進スライド過程は、図５４（Ｇ）〜（Ｋ）に示す過程を経てコーナー空間部へ張り出される。
第７例の巻取りローラについて
図５５（Ｂ）と図５７に示す差動歯車機構を組み込んだ第７例の巻取りローラＪ７を説明するに、７３は駆動軸であって、その中間寄り位置に太陽歯車７０を嵌め込んで固定し、軸先端部の形成した手動装置により駆動軸７３を正逆回転に構成している。
そこで、軸受ソケット２８３をローラ本体１１の内部に嵌め込んだ上で、遊星歯車７２を突設したエンドキャップ１５６を、ローラ本体１１の先端部に嵌め込む。
次いで、太陽歯車７０を嵌め込んだ駆動軸７３の本体後半部を、エンドキャップ１５６の通孔１５８からローラ本体１１の内部に挿通し、当該駆動軸７３の後端部を軸受ソケット２８３の通孔２８５に挿通支持すると共に、遊星歯車７２と太陽歯車７０とを噛み合わせる。そして、駆動軸７３に巻取りリール６０ｂを嵌め込み、その後部リール６０２の内周部に形成した内歯歯車７１を、前記遊星歯車７２に噛み合わせることにより、差動歯車列を構成する。
その上で、駆動軸７３の先端寄りの位置にウォーム歯車１６１を嵌め込み、当該歯車１６１に噛み合うウォーム１６２を嵌め込んだローラ１６３を、エンドキャップ１４６に鉛直に軸受支持し、また、駆動軸７３の軸先端部をエンドキャップ１４６の軸受部１４３に自由転自在に支持している。
その他の構成は、図５６に示す第６例の巻取りローラＪ６の場合と同様であるので、同一の図面符号を付してその説明を省略する。
この場合は、第６例の巻取りローラＪ６を駆動する電動モータＭ６に代えて、駆動軸７３を手動操作で正逆回転させる手動駆動装置とした場合である。その作動過程は、第６例の場合と同様であるので、その説明を省略する。
ラテラルアーム方式の複合装置について
これは、矩形キャンバスＰ１のフロントバーＲ２を、垂直方向へ起倒動する伸縮自在な折畳みアームにより支持したり、或いは、パンタグラフ構造の伸縮リンクで支持するラテラルアーム方式の可動オーニング装置に、出隅用オーニング装置Ｓ１を組み込むことにより複合化した場合であって、建物の角地にある店舗の出隅部Ｎ１に取り付けることを主眼としている。
第１実施例について
図５８〜図６０に示す複合装置ＳＱＬ１において、Ｚ１，Ｚ２はフロントバーＲ２の両端部を支持する伸縮自在な折畳みアーム（以下、伸縮アームという）であって、インナーパイプ６５１とアウターパイプ６５２を摺動自在に嵌挿し、両パイプを蝶ネジ６５３やリングナット（図示せず）により固定している。
６４１は店舗両側位置の支柱Ｈ１，Ｈ２や門型枠、或いは、縦壁部分などに固定したブラケットであって、前記インナーパイプ６５１の下端部をピン枢支している。アウターパイプ６５２の上端部は、フロントバーＲ２の両端部に取り付けている。６５４は伸縮アームＺ１，Ｚ２の補強ロッドであって、アウターパイプ６５２とフロントバーＲ２の入隅部分に斜めに固定している。
次に、フロントバーＦ２をスライド操作する伝動ロープ６６を掛け渡した場合の構成を説明するに、６７１，６７２はフロントバーＦ２の先端底部と中間付近の底部に取り付けた掛止部、６７３，６７４はアウターパイプ６５２の上下両端部に取り付けた掛止部であって、これらの掛止部６７１〜６７４に１本の伝動ロープ６６が掛け渡される。
例えば、伝動ロープ６６の先端部をフロントバーＦ２の先端掛止部６７１に縛り付け、その他方をフロントバーＦ２に沿ってその中間付近まで引っ張り、アウターパイプ６５２の上端掛止部６７３に挿通して下方へ折れ曲げ、当該アウターパイプ６５２に沿って引き下げ、下端掛止部６７４に挿通して折り返した上で引き上げ、再び、上端掛止部６７３に挿通して後方へ折り曲げ、そのロープ後端部をフロントバーＦ２の中間掛止部６７２に縛り付けている。
尚、フロントバーＦ２の後方部や中間部付近には、手動操作用の掛止部２４１も形成している。
そこで、図５８（Ａ）や図５９（Ａ）に示すように、コーナー空間部の張り出した出隅キャンバスＧ１をスライド操作するには、先ず、掛止部２４１に下方から操作ロッド（図示せず）を引っ掛けて後方へ引っ張ることで横行スライドする。或いは、手動操作用の伝動ロープ６６を前記のように掛け渡した場合には、図５８（Ｂ）の上段部に示すように、アウターパイプ６５２の下側に、折り返されて二重となった伝動ロープ６６の一方を引き下げ操作する。
すると、図中に付加した矢印方向へ引張力が伝達され、出隅キャンバスＧ１のフロントバーＦ２を矩形キャンバスＰ２のフロントバーＲ２に沿って、また、出隅キャンバスＧ１の頂部１を固定したスライダー１２が、ローラ本体１１のスライド案内通路１１２に沿って後方へ平行に横行スライドする。
これにより、長尺の矩形キャンバスＰ２の上に、出隅部Ｎ１から食み出さない程度に引き下げた出隅キャンバスＧ１が重ね合わされる。
次いで、両キャンバスＧ１，Ｐ２を巻き上げる前に、蝶ネジ６５３又はリングナットを緩めた上で、図５９（Ｂ）に示すようにフロントバーＦ２，Ｒ２を引き下げ、図５９（Ｃ）や図６０（Ｃ）に示すようにアウターパイプ６５２をインナーパイプ６５１にスライド収納することで、伸縮アームＺ１，Ｚ２を縮小して壁側に近づける。
次に、１本の巻取りローラＪ１，Ｊ２に出隅キャンバスＧ１と矩形キャンバスＰ２を巻き上げれば、図５９（Ｄ）と図６０（Ｄ）に示すように、両キャンバスＧ１，Ｐ２が巻き上げられ、同時に、伸縮アームＺ１，Ｚ２を垂直方向に引き上げることにより、壁際部分へのコンパクトな起立収納がなされる。
それとは逆に、両キャンバスＧ１，Ｐ２を巻き戻すことで、図６０（Ｄ）〜（Ｃ）のように両キャンバスが比較的急勾配、即ち、かなりの前下がり状態に前方展開する。
次いで、図６０（Ｃ）〜（Ｂ）に示すように、フロントバーＦ２，Ｒ２を前方へ押し上げることで、縮小していた伸縮アームＺ１，Ｚ２を伸長させ、蝶ネジ６５３又はリングナットを締め付け固定する。
そして、掛止部２４１に下方から操作ロッド（図示せず）を引っ掛けて装置先端方へ引っ張ることで、出隅キャンバスＧ１を横行スライドし、コーナー空間部に張り出す。
或いは、図５８（Ｂ）の上段部に示すように、アウターパイプ６５２の下側に、折り返されて二重となった伝動ロープ６６の他方を引き下げ操作する。
すると、図中に付加した矢印とは反対の方向へ引張力が伝達され、出隅キャンバスＧ１のフロントバーＦ２を矩形キャンバスＰ２のフロントバーＲ２に沿って、また、出隅キャンバスＧ１の頂部のスライダー１２が、ローラ本体１１のスライド案内溝１１１，１１２に沿って平行に横行スライドすることで、出隅キャンバスＧ１がコーナー空間部に張り出される。
前記の場合には、折畳みアームを垂直方向へ起倒動操作する伸縮アームＺ１，Ｚ２とした場合について説明したが、例えば、長さ一定の突っ張りアーム（図示せず）によりフロントバーＲ２を突き上げ、前方へ展開した出隅キャンバスＧ１と矩形キャンバスＰ２を緊張支持することもできる。
尚、前記の場合には、巻取りローラＪ１，Ｊ２とフロントバーＲ２に、長尺の矩形キャンバスＰ２を取り付けた場合について説明したが、出隅部Ｎ１へ張り出した出隅キャンバスＧ１の後端部と、矩形キャンバスＰ１の先端部との重なり代の幅が狭い短尺の矩形キャンバスＰ１とすることもできる。
第２実施例について
図６１に示す複合装置ＳＱＬ２において、Ｚ３，Ｚ４は伸縮自在にリング構成したパンタグラフ構造の折畳みアーム（以下、伸縮リンクという）であって、２体の等長リンク６９１，６９２の数体をＸ字状にリンク連接し、その基端部を支柱Ｈ１，Ｈ２などの上方位置に固定したブラケット６８１に枢設している。
６８２はブラケット６８１の上方部に縦設した案内長孔であって、最後部の一方の等長リンク６９１の後端部を枢設している。また、最前部の他方の等長リンク６９２の先端部には、適度に屈折させた立上げリンク６９３が形成され、その先端部に長尺の矩形キャンバスＰ２のフロントバーＲ２を取り付けている。
この場合には、フロントバーＦ２，Ｒ２を両手で持って前方へ引き出し、伸縮リンクＺ３，Ｚ４を伸長操作することにより、出隅キャンバスＧ１と矩形キャンバスＰ２が前方へ展開し、逆に、後方へ押し込むことにより、両キャンバスＧ１，Ｐ２を巻き取りながら壁面収納される。
前記の場合は、手動操作によりフロントバーＦ２，Ｒ２を引き出したり、押し込む場合であるが、前記伸縮リンクＺ３，Ｚ４を電動装置（図示せず）により伸縮作動することもできる。
その他の構成は、前記した複合装置ＳＱＬ１と同様であるので、同一の符号を付してその説明を省略する。
ところで、前記した各種の複合装置の場合、１本の巻取りローラＪ１〜Ｊ７の円周上に、適宜の間隔を隔てて複数のキャンバスＧ１，Ｇ２、Ｐ１〜Ｐ４の頂部１，５，５ａが平行に取り付けられ、その上、複数のキャンバスＧ１，Ｇ２、Ｐ１〜Ｐ４の裾部２、２ａ、６を支持するフロントバーＦ２，Ｆ３、Ｒ２〜Ｒ４は、通常、適度の傾斜勾配で前下がりに前方展開される。
その為、展開時における複数のキャンバスの緊張力をほぼ同一に設定したとき、前記とは逆に、複数のキャンバスを重ね合わせて巻き取り収納する際には、下部側のキャンバスに対して上部側のキャンバスには、例えば、数ｃｍ〜１０ｃｍ程度の弛みが残された状態で最終的に巻き上げられることが想定される。
それを解消する簡便な手段を、図６２と図６３に示す複合装置ＳＱＩＩ１１、ＳＱＩＩ１１の実施例に基づいて補足する。
キャンバス緊張支持具、即ち、キャンバス収納時の弛緩防止具について
図６２において、６２は弾力性ある揺動フラップであって、その基端部を出隅キャンバスＧ１のフロントバーＦ２の上板部３４２後端に取り付けられ、図６２（Ａ）に示すように、当該揺動フラップ６２の先端部が出隅キャンバスＧ１の裾部２を下方から上方へ突き上げるように付勢している。
従って、複合装置ＳＱＩＩ１１の出隅キャンバスＧ１と矩形キャンバスＰ１，Ｐ２が重ね合わせて巻き上げられるに連れて、図６２（Ｂ）に示すように揺動フラップ６２の先端部が徐々に付勢起立し、最終の巻き取り収納時には、図６２（Ｃ）に示すように起立することで、巻き上げたキャンバス裾部２を突き上げて緊張支持する。
これにより、キャンバス巻き取り収納時における出隅キャンバスＧ１の弛みを防止し、その緊張力を体裁よく維持することができる。
前記の場合は、上部側が出隅キャンバスＧ１で、下部側が矩形キャンバスＰ１，Ｐ２又は入隅キャンバスＰ３，Ｐ４とする組み合わせであるが、それらの複数のキャンバスを上下逆のレイアウトとする複合装置（図示せず）の場合には、上部側となった矩形キャンバスＰ１，Ｐ２の裾部６を揺動フラップ６２により押し上げ付勢される。
キャンバス緊張支持装置、即ち、キャンバス収納時の弛み代吸収装置について
図６３において、６３は出隅キャンバスＧ１を緊張支持するゴム製の伸縮ネットであって、出隅キャンバスＧ１の裾部２寄りの裏面に編成している。
６３３は裾部２付近の後方部に間隔を隔てて取り付けた扁平状のリング紐であって、当該リング紐６３３にロッド６３２を挿通し、当該ロッド６３２とフロントバーＦ２の上板部３４２の後端部との間に、伸縮自在なゴム紐６３１をジグザク状に掛け渡すことにより、伸縮ネット６３を編成している。
従って、図６３（Ｂ）に示すように、複合装置ＳＱＩＩ１２における出隅キャンバスＧ１の前方への最大展開時に、伸縮ネット６３による弾性付勢力が効果的に機能することで、出隅キャンバスＧ１の緊張状態が維持される。
逆に、出隅キャンバスＧ１の巻き取り収納時には、図６３（Ｃ）に示すように、伸縮ネット６３が縮んで適度な緊張付勢力を保持しつつ、余剰となったキャンバス裾部２を折り曲げ風に重ね合わせることで、巻き上げ時の弛み代を体裁良く吸収している。
ところで、前記の場合には、出隅キャンバスＧ１，Ｇ２の巻取りローラＪ１〜Ｊ７に、軸線方向へ横行スライドするスライダー１２，１２ａ、１２ｗを組み込んだ、言わば、インナースライダー構造としたが、それと同様な機能を備えながら構成を簡素化した第８例〜第１０例の巻取りローラＪ８〜Ｊ１０を、図６４〜図６６に基づいて説明する。
巻取りローラの第８例について
図６４（Ａ）、（Ｂ）と図６５において、１１０は矩形キャンバスＰ１，Ｐ２又は入隅キャンバスＰ３，Ｐ４のキャンバス嵌合溝、１１４は断面Ω状に凹設したスライド案内通路であって、巻取りローラＪ８のローラ本体１１ｃの内部に軸線方向へ形成している。
１１５はΩ字状の断面形態を呈する肉厚の薄いカバーキャップであって、スリット開口１１１とその内部のスライド案内通路１１４の内壁面を内張りする。
１２ｘは出隅キャンバスＧ１，Ｇ２の頂部１に嵌め込むスライドキャップであって、内張りしたカバーキャップ１１５の内部に遊嵌状態に嵌め込まれる。
そこで、図６５に示すように、キャンバス嵌合溝１１０に矩形キャンバスＰ１，Ｐ２又は入隅キャンバスＰ３，Ｐ４の頂部５，５ａを取り付け、また、出隅キャンバスＧ１，Ｇ２の頂部１にスライドキャップ１２ｘを嵌め込み、前記キャンバス頂部１に取付ワイヤ１８３を挿通して抜け止めし、スライド案内通路１１４に内張りされたカバーキャップ１１５の内部に遊嵌状態に嵌め込まれる。
前記の場合、カバーキャップ１１５は、キャンバス頂部１に嵌め込んだスライドキャップ１２ｘの横行スライド時における摺動抵抗を軽減し、また、スライド案内通路１１４とスライドキャップ１２ｘとの直接接触を防止することで滑り易くしている。
これにより、第１〜第３グループの複合装置に対するスライダー１２，１２ａ構造の巻取りローラＪ１，Ｊ２と、同一機能を発揮しながら、構成の簡素化に貢献する。
巻取りローラの第９例と第１０例について
図６６（Ａ）に示す第９例の巻取りローラＪ９は、ローラ本体１１ｄの軸線方向に、スリッド開口１１１を備えたスライド案内通路１１４の２列を隣接させて平行に形成し、それぞれの案内通路１１４の内壁面にカバーキャップ１１５を嵌め込んでいる。その上で、出隅キャンバスＧ１，Ｇ１１の頂部１にスライドキャップ１２ｘを嵌め込み、前記カバーキャップ１１５の内部に遊嵌状態に嵌め込んでいる。この巻取りローラＪ９は、第４グループの複合装置ＳＳＩＩの巻取りローラＪ３に代えて使用に供される。
図６６（Ｂ）に示す第１０例の巻取りローラＪ１０は、前記と同一断面のローラ本体１１ｄを共用可能としたもので、一方のスライド案内通路１１４に厚肉で、Ω状のスペーサーキャップ１１６が嵌め込まれ、その内部に矩形キャンバスＰ１，Ｐ２又は入隅キャンバスＰ３，Ｐ４の頂部５，５ａが取り付けられる。これは、第１〜第３グループの複合装置ＳＱＩＩ１〜１０、ＳＵＩＩ１・２、ＳＱＳＩＶの巻取りローラＪ１，Ｊ２に代えて使用に供される。
転動構造のフロントバーについて
前記した複合装置ＳＱＩＩ１〜１２の場合には、インナー側のフロントバーＲ２に、アウター側のフロントバーＦ２を摺動案内自在に構成したが、両者の関係を、図６７（Ａ）、（Ｂ）、図６８及び図６９（Ａ）〜（Ｃ）に示す転動構造のフロントバーＦ５，Ｒ５に置換することもできる。
アウター側のフロントバーＦ５は、背面中央部を開口形成した型鋼材であって、前板部８３１と上板部８３２と下板部８３３を備え、更に、上板部８３２の後方へ張り出した庇板部８３４との境界部には、出隅キャンバスＧ１，Ｇ２の裾部２を取り付ける上部嵌合溝８４１を形成している。上部嵌合溝８４１の下部には係合鍔縁８５１を垂下形成している。底板部８３３の後部位置には、フロントスカート２２１を取り付ける下部嵌合溝８４２を形成し、その上部に係合鍔縁８５３を鉛直に突出形成している。８５４は前板部８３１の後端部の上方内側位置に突出したブラケットである。
８６１，８６２はフロントバーＦ５の後端部の上下内側位置に内蔵した案内車輪であって、その内、上部車輪８６１を前記ブラケット８５４に軸ピン８６３により水平回転自在に固定支持している。下部車輪８６２は、下板部８３３に軸ピン８６４により水平回転自在に固定支持している。
インナー側のフロントバーＲ５は、角筒状の断面形態を呈する型鋼材であって、前板部８７１と後板部８７２と上板部８７３と下板部８７４を備え、更に、当該フロントバーＲ５の上部側と下部側には、前記上部車輪８６１と下部車輪８６２を収納して転動案内する車輪室８８１，８８２を、間仕切り８９１，８９２により区画形成している。
そして、後板部８７２から後方へ突出した間仕切り８９１，８９２の端部位置には、矩形キャンバスＰ１，Ｐ２又は入隅キャンバスＰ３，Ｐ４の裾部６を取り付ける上部嵌合溝９０１と、フロントスカート３９１を取り付ける下部嵌合溝９０２をそれぞれ形成している。上部嵌合溝９０１の底部には係合鍔縁９１１を下向きに突出形成し、下部嵌合溝９０２の上部には上向きの係合鍔縁９１２を張り出している。
９２はフロントバーＲ５の先端部に嵌め込んで固定した車輪ホルダーであって、その先端突出部の上下位置には、案内車輪９３１，９３２を車軸９３３により水平回転自在に支持している。９４１は下板部８７４の中央部に開口形成した案内スリットであって、下部車輪８６２の軸ピン８６４を移動案内自在とする。９４２は前板部８７１の上方部に開口した案内スリットであって、前記ブラケット８５４を挿通案内する。
そこで、先端部に案内車輪９３１，９３２を設け、上下位置に車輪室８８１，８８２を備えたフロントバーＲ５に対して、後端部の上下位置に案内車輪８６１，８６２を内蔵したフロントバーＦ５を挿通して嵌め込む。すると、一方の案内車輪９３１，９３２がフロントバーＦ５の上下位置に嵌め込まれ、他方の案内車輪８６１，８６２は前記車輪室８８１，８８２に嵌め込まれ、それにより、フロントバーＲ５とフロントバーＦ５が転動案内自在に組み付けられる。
従って、前記した転動構造のフロントバーＦ５，Ｒ５を、第１〜第３グループの複合装置ＳＱＩＩ１〜７、ＳＵＩＩ１・２、ＳＱＳＩＶに組み込めば、フロントバーＦ５の進退移動時における摺動抵抗を大幅に軽減し、作動の円滑性を一段と高めることができる。
尚、本発明では、第１〜第４グループの複合装置により、建築物の出隅部や入隅部を含む建物外回りを体裁良く覆うようにしたが、建物外回りの直線区間が長い場合には、本明細書の当初に記載した、矩形キャンバスの頂部を巻取りローラに取り付け、そのキャンバス裾部をフロントバーに取り付けた折畳みアーム方式の可動オーニング装置が組み込まれる。
また、単なる入隅部や、一方と他方の入隅部の間隔が比較的短い場合には、前記した国際特許出願２の「複合オーニング装置」の図６９と図７０に開示するように、直角逆台形状の入隅キャンバスや、逆台形状の入隅キャンバスのいずれかを単独で巻き取ったり、巻き戻す可動オーニング装置が組み込まれる。
従って、本発明に係る複合装置を、建物の外観形態に応じて臨機応変にレイアウトすることにより、出隅部や入隅部を含む各種建築物の外回りを意匠的に体裁良く統一することができる上に、回廊風に構築自在とするシステムオーニングを当業界に提供することができる。
【産業上の利用可能性】  本発明は、前記のように技術的な興趣や有用性に富む、斬新な複合オーニング装置と、その主要部を構成する複数キャンバスの巻取りローラを提供したので、各種建築物の出隅部や入隅部等の建物外回りの体裁性を飛躍的に高め、ひいては、当業界の進歩発展に大いに貢献する。
【図１】
0004674381.tif 000002
【図２】
0004674381.tif 000003
【図３】
0004674381.tif 000004
【図４】
0004674381.tif 000005
【図５】
0004674381.tif 000006
【図６】
0004674381.tif 000007
【図７】
0004674381.tif 000008
【図８】
0004674381.tif 000009
【図９】
0004674381.tif 000010
【図１０】
0004674381.tif 000011
【図１１】
0004674381.tif 000012
【図１２】
0004674381.tif 000013
【図１３】
0004674381.tif 000014
【図１４】
0004674381.tif 000015
【図１５】
0004674381.tif 000016
【図１６】
0004674381.tif 000017
【図１７】
0004674381.tif 000018
【図１８】
0004674381.tif 000019
【図１９】
0004674381.tif 000020
【図２０】
0004674381.tif 000021
【図２１】
0004674381.tif 000022
【図２２】
0004674381.tif 000023
【図２３】
0004674381.tif 000024
【図２４】
0004674381.tif 000025
【図２５】
0004674381.tif 000026
【図２６】
0004674381.tif 000027
【図２７】
0004674381.tif 000028
【図２８】
0004674381.tif 000029
【図２９】
0004674381.tif 000030
【図３０】
0004674381.tif 000031
【図３１】
0004674381.tif 000032
【図３２】
0004674381.tif 000033
【図３３】
0004674381.tif 000034
【図３４】
0004674381.tif 000035
【図３５】
0004674381.tif 000036
【図３６】
0004674381.tif 000037
【図３７】
0004674381.tif 000038
【図３８】
0004674381.tif 000039
【図３９】
0004674381.tif 000040
【図４０】
0004674381.tif 000041
【図４１】
0004674381.tif 000042
【図４２】
0004674381.tif 000043
【図４３】
0004674381.tif 000044
【図４４】
0004674381.tif 000045
【図４５】
0004674381.tif 000046
【図４６】
0004674381.tif 000047
【図４７】
0004674381.tif 000048
【図４８】
0004674381.tif 000049
【図４９】
0004674381.tif 000050
【図５０】
0004674381.tif 000051
【図５１】
0004674381.tif 000052
【図５２】
0004674381.tif 000053
【図５３】
0004674381.tif 000054
【図５４】
0004674381.tif 000055
【図５５】
0004674381.tif 000056
【図５６】
0004674381.tif 000057
【図５７】
0004674381.tif 000058
【図５８】
0004674381.tif 000059
【図５９】
0004674381.tif 000060
【図６０】
0004674381.tif 000061
【図６１】
0004674381.tif 000062
【図６２】
0004674381.tif 000063
【図６３】
0004674381.tif 000064
【図６４】
0004674381.tif 000065
【図６５】
0004674381.tif 000066
【図６６】
0004674381.tif 000067
【図６７】
0004674381.tif 000068
【図６８】
0004674381.tif 000069
【図６９】
0004674381.tif 000070